(57)【要約】      （修正有）【課題】仮想トランスポンダのためのバンド内テレメトリのシステム、方法及び装置を提供する。【解決手段】仮想トランスポンダのためのバンド内テレメトリの方法は、ビークル２１０上のペイロードアンテナ２８０によって、ペイロード信号がホステッド受信アンテナに送信することを含む。当該方法は、ペイロードアンテナ２８０によって、ホステッドテレメトリ信号をホステッド受信アンテナに送信することを含む。１つ又は複数の実施形態では、ホステッドテレメトリ信号とペイロード信号は同じ周波数帯域で送信される。【選択図】図２Ａ
2018186490.tif 000002
【特許請求の範囲】
【請求項１】
仮想トランスポンダのためのバンド内テレメトリの方法であって、
ビークル上のペイロードアンテナによって、ペイロード信号をホステッド受信アンテナに送信すること、及び、
前記ペイロードアンテナによって、ホステッドテレメトリ信号を前記ホステッド受信アンテナに送信すること
を含み、前記ホステッドテレメトリ信号と前記ペイロード信号は同じ周波数帯域で送信される、方法。
【請求項２】
前記ホステッドテレメトリ信号はホステッドペイロード構成に関連するテレメトリデータを含むスクリプトを含み、前記スクリプトはマスターサイクルタイムに等しい継続時間を有し、また、前記スクリプトは前記ホステッドテレメトリ信号内で繰り返される、請求項１に記載の方法。
【請求項３】
前記ホステッドテレメトリ信号は、サブチャネル出力（ＳＣＰ）、アナログスペクトル監視構成（ＡＳＭＳ）、アナログランダムアクセスメモリ（ＡＮＡＲＡＭ）、スイッチ構成、リミッタ構成、サブチャネル自動レベル制御（ＳＡＬＣ）、又はサブチャネル利得（ＳＣＧ）のうちの少なくとも１つを含む、ホステッドペイロード構成に関連するホステッドテレメトリデータを含む、請求項１に記載の方法。
【請求項４】
前記ホステッドペイロード構成に関連する前記ホステッドテレメトリデータは異なるタイプごとに、関連するリフレッシュレートを有する、請求項３に記載の方法。
【請求項５】
前記ホステッドペイロード構成に関連する前記ホステッドテレメトリデータは異なるタイプごとに、関連する反復回数（スクリプトサイクルタイム中にホステッドテレメトリデータが繰り返される回数）を有する、請求項３に記載の方法。
【請求項６】
前記ホステッドテレメトリ信号は暗号化ホステッドテレメトリを含む、請求項１に記載の方法。
【請求項７】
ビークル上のペイロードアンテナによって、ペイロード信号をホスト受信アンテナに送信すること、及び、
前記ペイロードアンテナによって、ホストテレメトリ信号を前記ホスト受信アンテナに送信することをさらに含む、請求項１に記載の方法。
【請求項８】
前記ホストテレメトリ信号と前記ペイロード信号は同じ周波数帯域で送信される、請求項７に記載の方法。
【請求項９】
ホスト受信アンテナに送信される前記ペイロード信号はホストペイロード信号であり、
ホステッド受信アンテナに送信される前記ペイロード信号はホステッドペイロード信号である、請求項７に記載の方法。
【請求項１０】
前記ホストテレメトリ信号と前記ホステッドテレメトリ信号は同じ周波数帯域で送信される、請求項９に記載の方法。
【請求項１１】
前記ホストテレメトリ信号と前記ホストペイロード信号はホスト周波数帯域で送信され、
前記ホステッドテレメトリ信号と前記ホステッドペイロード信号はホステッド周波数帯域で送信される、請求項９に記載の方法。
【請求項１２】
前記ホストテレメトリ信号はホストペイロード構成に関連するテレメトリデータを含むスクリプトを含み、前記スクリプトはマスターサイクルタイムに等しい継続時間を有し、また、前記スクリプトは前記ホステッドテレメトリ信号内で繰り返される、請求項７に記載の方法。
【請求項１３】
前記ホストテレメトリ信号は、サブチャネル出力（ＳＣＰ）、アナログスペクトル監視構成（ＡＳＭＳ）、アナログランダムアクセスメモリ（ＡＮＡＲＡＭ）、スイッチ構成、リミッタ構成、サブチャネル自動レベル制御（ＳＡＬＣ）、又はサブチャネル利得（ＳＣＧ）のうちの少なくとも１つを含む、ホストペイロード構成に関連するホストテレメトリデータを含む、請求項７に記載の方法。
【請求項１４】
前記ホストペイロード構成に関連する前記ホストテレメトリデータは異なるタイプごとに、関連するリフレッシュレートを有し、及び／又は前記ホストペイロード構成に関連する前記ホストテレメトリデータは異なるタイプごとに、関連する反復回数（スクリプトサイクルタイム中にホストテレメトリデータが繰り返される回数）を有する、請求項１３に記載の方法。
【請求項１５】
仮想トランスポンダのためのバンド内テレメトリのシステムであって、
ビークル、及び
ペイロード信号をホステッド受信アンテナに送信し、ホステッドテレメトリ信号する前記ホステッド受信アンテナに送信する前記ビークル上のペイロードアンテナを備え、
請求項１から１４のいずれか一項に記載の方法を実行するように構成されるシステム。
【発明の詳細な説明】
【技術分野】
【０００１】
本開示は、バンド内トランスポンダに関する。具体的には、仮想トランスポンダのためのバンド内テレメトリに関する。
【背景技術】
【０００２】
現在、ビークル（例えば、衛星）に搭載された典型的なトランスポンダは、ペイロードの入力と出力との切り換えを実行する能力を有する。このペイロード上のすべての切り替えは、リソース配分のプライバシーがない状態で、単一の衛星コントローラによって指令を出されて制御される。例えば、デジタルトランスポンダの場合、特定の帯域幅及びアンテナ特性を有するチャネルに対するユーザ要求が出されると、チャネルが設定され、使用され、それから接続が切断される。
【０００３】
したがって、ペイロード上のリソースの配分のプライバシーを可能にするような、改善されたトランスポンダ設計が必要とされている。
【発明の概要】
【０００４】
本開示は、仮想トランスポンダのためのバンド内テレメトリの方法、システム、及び装置に関する。１つ又は複数の実施形態では、仮想トランスポンダのためのバンド内テレメトリの方法は、ビークル上のペイロードアンテナによって、ペイロード信号をホステッド受信アンテナに送信することを含む。当該方法は、ペイロードアンテナによって、ホステッドテレメトリ信号をホステッド受信アンテナに送信することを含む。１つ又は複数の実施形態では、ホステッドテレメトリ信号とペイロード信号は同じ周波数帯域で送信される。
【０００５】
１つ又は複数の実施形態では、ホステッドテレメトリ信号はホステッドペイロード構成に関連するテレメトリデータを含むスクリプトを含み、このスクリプトはマスターサイクルタイムに等しい継続時間を有し、また、スクリプトはホステッドテレメトリ信号内で繰り返される。
【０００６】
少なくとも１つの実施形態では、ホステッドテレメトリ信号は、サブチャネル出力（ＳＣＰ）、アナログスペクトル監視構成（ＡＳＭＳ）、アナログランダムアクセスメモリ（ＡＮＡＲＡＭ）、スイッチ構成、リミッタ構成、サブチャネル自動レベル制御（ＳＡＬＣ）、及び／又はサブチャネル利得（ＳＣＧ）を含むホステッドペイロード構成に関連するホステッドテレメトリデータを含む。
【０００７】
１つ又は複数の実施形態では、ホステッドペイロード構成に関連するホステッドテレメトリデータは異なるタイプごとに、関連するリフレッシュレートを有する。
【０００８】
少なくとも１つの実施形態では、ホステッドペイロード構成に関連するホステッドテレメトリデータは異なるタイプごとに、関連する反復回数（スクリプトサイクルタイム中にホステッドテレメトリデータが繰り返される回数）を有する。
【０００９】
１つ又は複数の実施形態では、ホステッドテレメトリ信号は暗号化ホステッドテレメトリを含む。
【００１０】
少なくとも１つの実施形態では、仮想トランスポンダのためのバンド内テレメトリの方法は、ビークル上のペイロードアンテナによって、ペイロード信号をホスト受信アンテナに送信することを含む。当該方法はさらに、ペイロードアンテナによって、ホストテレメトリ信号をホスト受信アンテナに送信することを含む。１つ又は複数の実施形態では、ホストテレメトリ信号とペイロード信号は同じ周波数帯域で送信される。
【００１１】
１つ又は複数の実施形態では、ホステッドテレメトリ信号はホストペイロード構成に関連するテレメトリデータを含むスクリプトを含み、このスクリプトはマスターサイクルタイムに等しい継続時間を有し、また、スクリプトはホステッドテレメトリ信号内で繰り返される。
【００１２】
少なくとも１つの実施形態では、ホストテレメトリ信号は、サブチャネル出力（ＳＣＰ）、アナログスペクトル監視構成（ＡＳＭＳ）、アナログランダムアクセスメモリ（ＡＮＡＲＡＭ）、スイッチ構成、リミッタ構成、サブチャネル自動レベル制御（ＳＡＬＣ）、及び／又はサブチャネル利得（ＳＣＧ）を含むホストペイロード構成に関連するホストテレメトリデータを含む。
【００１３】
１つ又は複数の実施形態では、ホストペイロード構成に関連するホストテレメトリデータは異なるタイプごとに、関連するリフレッシュレートを有する。
【００１４】
少なくとも１つの実施形態では、ホストペイロード構成に関連するホストテレメトリデータは異なるタイプごとに、関連する反復回数（スクリプトサイクルタイム中にホステッドテレメトリデータが繰り返される回数）を有する。
【００１５】
１つ又は複数の実施形態では、ホストテレメトリ信号は暗号化ホストテレメトリを含む。
【００１６】
少なくとも１つの実施形態では、仮想トランスポンダのためのバンド内テレメトリの方法は、ビークル上のペイロードアンテナによって、ペイロード信号をホスト受信アンテナに送信することを含む。当該方法はさらに、ペイロードアンテナによって、ホステッドペイロード信号をホステッド受信アンテナに送信することを含む。また、当該方法は、ペイロードアンテナによって、ホストテレメトリ信号をホスト受信アンテナに送信することを含む。さらに、当該方法は、ペイロードアンテナによって、ホストテレメトリ信号をホステッド受信アンテナに送信することを含む。１つ又は複数の実施形態では、ホストテレメトリ信号とホステッドテレメトリ信号は同じ周波数帯域で送信される。
【００１７】
１つ又は複数の実施形態では、ホストテレメトリ信号はホストペイロード構成に関連するホストテレメトリデータを含むホストスクリプトを含み、このホストスクリプトはホストマスターサイクルタイムに等しい継続時間を有し、また、ホストスクリプトはホストテレメトリ信号内で繰り返される。少なくとも１つの実施形態では、ホステッドテレメトリ信号はホステッドペイロード構成に関連するホステッドテレメトリデータを含むスクリプトを含み、このスクリプトはマスターサイクルタイムに等しい継続時間を有し、また、スクリプトはホステッドテレメトリ信号内で繰り返される。
【００１８】
少なくとも１つの実施形態では、ホストテレメトリ信号は、サブチャネル出力（ＳＣＰ）、アナログスペクトル監視構成（ＡＳＭＳ）、アナログランダムアクセスメモリ（ＡＮＡＲＡＭ）、スイッチ構成、リミッタ構成、サブチャネル自動レベル制御（ＳＡＬＣ）、及び／又はサブチャネル利得（ＳＣＧ）を含むホストペイロード構成に関連するホストテレメトリデータを含む。１つ又は複数の実施形態では、ホステッドテレメトリ信号は、サブチャネル出力（ＳＣＰ）、アナログスペクトル監視構成（ＡＳＭＳ）、アナログランダムアクセスメモリ（ＡＮＡＲＡＭ）、スイッチ構成、リミッタ構成、サブチャネル自動レベル制御（ＳＡＬＣ）、及び／又はサブチャネル利得（ＳＣＧ）を含むホステッドペイロード構成に関連するホステッドテレメトリデータを含む。
【００１９】
１つ又は複数の実施形態では、ホストペイロード構成に関連するホストテレメトリデータは異なるタイプごとに、関連するホストリフレッシュレートを有する。少なくとも１つの実施形態では、ホステッドペイロード構成に関連するホステッドテレメトリデータは異なるタイプごとに、関連するホステッドリフレッシュ送信レートを有する。
【００２０】
少なくとも１つの実施形態では、ホストペイロード構成に関連するホストテレメトリデータは異なるタイプごとに、関連する反復回数（ホストスクリプトサイクルタム中にホストテレメトリデータが繰り返される回数）を有する。１つ又は複数の実施形態では、ホステッドペイロード構成に関連するホステッドテレメトリデータは異なるタイプごとに、関連する反復回数（ホステッドスクリプトサイクルタイム中にホステッドテレメトリデータが繰り返される回数）を有する。
【００２１】
１つ又は複数の実施形態では、ホストテレメトリ信号は暗号化ホストテレメトリを含み、ホステッドテレメトリ信号は暗号化ホステッドテレメトリを含む。少なくとも１つの実施形態では、暗号化ホストテレメトリは第１のＣＯＭＳＥＣ種を利用することにより暗号化され、暗号化ホステッドテレメトリは第２のＣＯＭＳＥＣ種を利用することにより暗号化される。
【００２２】
少なくとも１つの実施形態では、ホストテレメトリ信号とホステッドテレメトリ信号は、時分割多重アクセス（ＴＤＭＡ）を利用して同じ周波数帯域で送信される。
【００２３】
１つ又は複数の実施形態では、仮想トランスポンダのためのバンド内テレメトリの方法は、ビークル上のペイロードアンテナによって、ホストペイロード信号をホスト受信アンテナに送信することを含む。当該方法はさらに、ペイロードアンテナによって、ホステッドペイロード信号をホステッド受信アンテナに送信することを含む。また、当該方法は、ペイロードアンテナによって、ホストテレメトリ信号をホスト受信アンテナに送信することを含む。１つ又は複数の実施形態では、ホストテレメトリ信号とホストペイロード信号は同じ周波数帯域で送信される。さらに、当該方法は、ペイロードアンテナによって、ホステッドテレメトリ信号をホステッド受信アンテナに送信することを含む。１つ又は複数の実施形態では、ホステッドテレメトリ信号及びホステッドペイロード信号はホステッド周波数帯域で送信される。
【００２４】
少なくとも１つの実施形態では、仮想トランスポンダのためのバンド内テレメトリの方法はビークルを含む。システムはさらに、ペイロード信号をホステッド受信アンテナに送信し、ホステッドテレメトリ信号をホステッド受信アンテナに送信する、ビークル上のペイロードアンテナを含む。幾つかの実施形態では、ホステッドテレメトリ信号とペイロード信号は同じ周波数帯域で送信される。
【００２５】
１つ又は複数の実施形態では、仮想トランスポンダのためのバンド内テレメトリの方法はビークルを含む。システムはさらに、ホストペイロード信号をホスト受信アンテナに送信し、ホステッドペイロード信号をホステッド受信アンテナンに送信し、ホストテレメトリ信号をホスト受信アンテナに送信し、また、ホステッドテレメトリ信号をホステッド受信アンテナに送信する、ビークル上のペイロードアンテナを含む。幾つかの実施形態では、ホストテレメトリ信号とホステッドテレメトリ信号は同じ周波数帯域で送信される。
【００２６】
少なくとも１つの実施形態では、仮想トランスポンダのためのバンド内テレメトリの方法はビークルを含む。システムはさらに、ホストペイロード信号をホスト受信アンテナに送信し、ホステッドペイロード信号をホステッド受信アンテナンに送信し、ホストテレメトリ信号をホスト受信アンテナに送信し、また、ホステッドテレメトリ信号をホステッド受信アンテナに送信する、ビークル上のペイロードアンテナを含む。少なくとも１つの実施形態では、ホストテレメトリ信号及びホストペイロード信号はホスト周波数帯域で送信される。幾つかの実施形態では、ホステッドテレメトリ信号及びホステッドペイロード信号はホステッド周波数帯域で送信される。
【００２７】
特徴、機能、及び利点は、本開示の様々な実施形態において単独で実現することができる場合があり、又は、さらに他の実施形態において組み合わせることができる場合がある。
【００２８】
本開示の上記及び他の特徴、態様、及び利点に対する理解は、後述の説明、特許請求の範囲、及び添付図面を参照することにより深まるであろう。
【図面の簡単な説明】
【００２９】
【図１】本開示の少なくとも１つの実施形態に係る、仮想トランスポンダのための開示されたシステムの簡略構造を示す図である。図２Ａ〜図９Ｈは、本開示の少なくとも１つの実施形態に係る、バンド内指令を用いる仮想トランスポンダのための例示的なシステム及び方法を示す。
【図２Ａ】本開示の少なくとも１つの実施形態に係る、ホステッド受信アンテナに送信されるホステッドユーザのための、バンド内テレメトリを用いる仮想トランスポンダのための開示されたシステムを示す図である。
【図２Ｂ】本開示の少なくとも１つの実施形態に係る、ホスト受信アンテナに送信される、ホステッドユーザのためのバンド内テレメトリを用いる仮想トランスポンダのための開示されたシステムを示す図である。
【図３Ａ】本開示の少なくとも１つの実施形態に係る、ホステッド受信アンテナに送信される、ホステッドユーザのためのバンド内テレメトリを用いる仮想トランスポンダのための開示された方法のフロー図を示す。
【図３Ｂ】本開示の少なくとも１つの実施形態に係る、ホステッド受信アンテナに送信される、ホステッドユーザのためのバンド内テレメトリを用いる仮想トランスポンダのための開示された方法のフロー図を示す。
【図３Ｃ】本開示の少なくとも１つの実施形態に係る、ホステッド受信アンテナに送信される、ホステッドユーザのためのバンド内テレメトリを用いる仮想トランスポンダのための開示された方法のフロー図を示す。
【図３Ｄ】本開示の少なくとも１つの実施形態に係る、ホステッド受信アンテナに送信される、ホステッドユーザのためのバンド内テレメトリを用いる仮想トランスポンダのための開示された方法のフロー図を示す。
【図３Ｅ】本開示の少なくとも１つの実施形態に係る、ホスト受信アンテナに送信される、ホステッドユーザのためのバンド内テレメトリを用いる仮想トランスポンダのための開示された方法のフロー図を示す。
【図３Ｆ】本開示の少なくとも１つの実施形態に係る、ホスト受信アンテナに送信される、ホステッドユーザのためのバンド内テレメトリを用いる仮想トランスポンダのための開示された方法のフロー図を示す。
【図３Ｇ】本開示の少なくとも１つの実施形態に係る、ホスト受信アンテナに送信される、ホステッドユーザのためのバンド内テレメトリを用いる仮想トランスポンダのための開示された方法のフロー図を示す。
【図３Ｈ】本開示の少なくとも１つの実施形態に係る、ホスト受信アンテナに送信される、ホステッドユーザのためのバンド内テレメトリを用いる仮想トランスポンダのための開示された方法のフロー図を示す。
【図４】本開示の少なくとも１つの実施形態に係る、ホストユーザのための、バンド内テレメトリを用いる仮想トランスポンダのための開示されたシステムを示す図である。
【図５Ａ】本開示の少なくとも１つの実施形態に係る、ホストユーザのための、バンド内テレメトリを用いる仮想トランスポンダのための開示された方法のフロー図を示す。
【図５Ｂ】本開示の少なくとも１つの実施形態に係る、ホストユーザのための、バンド内テレメトリを用いる仮想トランスポンダのための開示された方法のフロー図を示す。
【図５Ｃ】本開示の少なくとも１つの実施形態に係る、ホストユーザのための、バンド内テレメトリを用いる仮想トランスポンダのための開示された方法のフロー図を示す。
【図５Ｄ】本開示の少なくとも１つの実施形態に係る、ホストユーザのための、バンド内テレメトリを用いる仮想トランスポンダのための開示された方法のフロー図を示す。
【図６Ａ】本開示の少なくとも１つの実施形態に係る、ホスト受信アンテナ及びホステッド受信アンテナに送信される、ホストユーザ及びホステッドユーザのためのバンド内テレメトリを用いる仮想トランスポンダのための開示されたシステムを示す図である。
【図６Ｂ】本開示の少なくとも１つの実施形態に係る、ホスト受信アンテナに送信される、ホストユーザ及びホステッドユーザのためのバンド内テレメトリを用いる仮想トランスポンダのための開示されたシステムを示す図である。
【図７Ａ】本開示の少なくとも１つの実施形態に係る、ホスト受信アンテナ及びホステッド受信アンテナに送信される、ホストユーザ及びホステッドユーザのためのバンド内テレメリを用いる仮想トランスポンダのための開示された方法のフロー図を示す。
【図７Ｂ】本開示の少なくとも１つの実施形態に係る、ホスト受信アンテナ及びホステッド受信アンテナに送信される、ホストユーザ及びホステッドユーザのためのバンド内テレメリを用いる仮想トランスポンダのための開示された方法のフロー図を示す。
【図７Ｃ】本開示の少なくとも１つの実施形態に係る、ホスト受信アンテナ及びホステッド受信アンテナに送信される、ホストユーザ及びホステッドユーザのためのバンド内テレメリを用いる仮想トランスポンダのための開示された方法のフロー図を示す。
【図７Ｄ】本開示の少なくとも１つの実施形態に係る、ホスト受信アンテナ及びホステッド受信アンテナに送信される、ホストユーザ及びホステッドユーザのためのバンド内テレメリを用いる仮想トランスポンダのための開示された方法のフロー図を示す。
【図７Ｅ】本開示の少なくとも１つの実施形態に係る、ホスト受信アンテナに送信される、ホストユーザ及びホステッドユーザのためのバンド内テレメトリを用いる仮想トランスポンダのための開示された方法のフロー図を示す。
【図７Ｆ】本開示の少なくとも１つの実施形態に係る、ホスト受信アンテナに送信される、ホストユーザ及びホステッドユーザのためのバンド内テレメトリを用いる仮想トランスポンダのための開示された方法のフロー図を示す。
【図７Ｇ】本開示の少なくとも１つの実施形態に係る、ホスト受信アンテナに送信される、ホストユーザ及びホステッドユーザのためのバンド内テレメトリを用いる仮想トランスポンダのための開示された方法のフロー図を示す。
【図７Ｈ】本開示の少なくとも１つの実施形態に係る、ホスト受信アンテナに送信される、ホストユーザ及びホステッドユーザのためのバンド内テレメトリを用いる仮想トランスポンダのための開示された方法のフロー図を示す。
【図８Ａ】本開示の少なくとも１つの実施形態に係る、ホスト受信アンテナ及びホステッド受信アンテナに送信される、ホストユーザ及びホステッドユーザのためのバンド内テレメトリを用いる仮想トランスポンダのための開示されたシステムを示す図であって、テレメトリは１つの通信セキュリティ（ＣＯＭＳＥＣ）種を用いて暗号化される。
【図８Ｂ】本開示の少なくとも１つの実施形態に係る、ホスト受信アンテナに送信される、ホストユーザ及びホステッドユーザのためのバンド内テレメトリを用いる仮想トランスポンダのための開示されたシステムを示す図であって、テレメトリは１つの通信セキュリティ（ＣＯＭＳＥＣ）種を用いて暗号化される。
【図９Ａ】本開示の少なくとも１つの実施形態に係る、ホスト受信アンテナ及びホステッド受信アンテナに送信される、ホストユーザ及びホステッドユーザのためのバンド内テレメトリを用いる仮想トランスポンダのための開示された方法のフロー図を示し、テレメトリは１つのＣＯＭＳＥＣ種を用いて暗号化される。
【図９Ｂ】本開示の少なくとも１つの実施形態に係る、ホスト受信アンテナ及びホステッド受信アンテナに送信される、ホストユーザ及びホステッドユーザのためのバンド内テレメトリを用いる仮想トランスポンダのための開示された方法のフロー図を示し、テレメトリは１つのＣＯＭＳＥＣ種を用いて暗号化される。
【図９Ｃ】本開示の少なくとも１つの実施形態に係る、ホスト受信アンテナ及びホステッド受信アンテナに送信される、ホストユーザ及びホステッドユーザのためのバンド内テレメトリを用いる仮想トランスポンダのための開示された方法のフロー図を示し、テレメトリは１つのＣＯＭＳＥＣ種を用いて暗号化される。
【図９Ｄ】本開示の少なくとも１つの実施形態に係る、ホスト受信アンテナ及びホステッド受信アンテナに送信される、ホストユーザ及びホステッドユーザのためのバンド内テレメトリを用いる仮想トランスポンダのための開示された方法のフロー図を示し、テレメトリは１つのＣＯＭＳＥＣ種を用いて暗号化される。
【図９Ｅ】本開示の少なくとも１つの実施形態に係る、ホスト受信アンテナに送信される、ホストユーザ及びホステッドユーザのためのバンド内テレメトリを用いる仮想トランスポンダのための開示された方法のフロー図を示し、テレメトリは１つのＣＯＭＳＥＣ種を用いて暗号化される。
【図９Ｆ】本開示の少なくとも１つの実施形態に係る、ホスト受信アンテナに送信される、ホストユーザ及びホステッドユーザのためのバンド内テレメトリを用いる仮想トランスポンダのための開示された方法のフロー図を示し、テレメトリは１つのＣＯＭＳＥＣ種を用いて暗号化される。
【図９Ｇ】本開示の少なくとも１つの実施形態に係る、ホスト受信アンテナに送信される、ホストユーザ及びホステッドユーザのためのバンド内テレメトリを用いる仮想トランスポンダのための開示された方法のフロー図を示し、テレメトリは１つのＣＯＭＳＥＣ種を用いて暗号化される。
【図９Ｈ】本開示の少なくとも１つの実施形態に係る、ホスト受信アンテナに送信される、ホストユーザ及びホステッドユーザのためのバンド内テレメトリを用いる仮想トランスポンダのための開示された方法のフロー図を示し、テレメトリは１つのＣＯＭＳＥＣ種を用いて暗号化される。
【図１０】本開示の少なくとも１つの実施形態に係る、ビークル上の仮想トランスポンダのための開示されたシステムを示す図である。
【図１１】本開示の少なくとも１つの実施形態に係る、開示された仮想トランスポンダを用いるときの、複数のビーム間における帯域幅の例示的な配分を示す図である。
【図１２】本開示の少なくとも１つの実施形態に係る、開示された仮想トランスポンダを用いるときの、複数のビーム間における帯域幅の柔軟な配分のためのスイッチ構造を示す図である。
【図１３】本開示の少なくとも１つの実施形態に係る、図１２のデジタルチャネライザの詳細を示す図である。
【図１４】本開示の少なくとも１つの実施形態に係る、開示された仮想トランスポンダによって利用され得る、ビークル上の例示的な構成要素を示す図である。
【図１５Ａ】本開示の少なくとも１つの実施形態に係る、ビークル上の仮想トランスポンダのための開示された方法のフロー図を示す。
【図１５Ｂ】本開示の少なくとも１つの実施形態に係る、ビークル上の仮想トランスポンダのための開示された方法のフロー図を示す。
【図１６】本開示の少なくとも１つの実施形態に係る、ホストユーザのための、バンド内テレメトリの例示的なスクリプトを示す図である。
【図１７】本開示の少なくとも１つの実施形態に係る、ホストユーザのための、バンド内テレメトリの例示的なスクリプトを示す図である。
【図１８】本開示の少なくとも１つの実施形態に係る、ホストユーザ及びホステッドユーザのための、バンド内テレメトリの例示的なスクリプトを示す図である。
【図１９】本開示の少なくとも１つの実施形態に係る、ホストユーザ及びホステッドユーザのための、バンド内テレメトリの２つの例示的なスクリプトを示す図である。
【発明を実施するための形態】
【００３０】
本明細書に開示された方法及び装置は、仮想トランスポンダのためのバンド内テレメトリの操作システムを提供する。本開示のシステムは、ビークルのオペレータが、ビークルのリソースを非公開に共有することを可能にする。本開示では、バンド内周波数帯域（ｉｎ−ｂａｎｄ  ｆｒｅｑｕｅｎｃｙ  ｂａｎｄ）とは、ペイロードデータの送信に用いられる周波数帯域と同じ周波数帯域のことを指し、バンド外周波数帯域（ｏｕｔ−ｏｆ−ｂａｎｄ  ｆｒｅｑｕｅｎｃｙ  ｂａｎｄ）とは、ペイロードデータの送信に用いられる周波数帯域と同じではない周波数帯域のことを指すことに留意するべきである。
【００３１】
上述のように、現在、ビークル（例えば、衛星）に搭載された典型的なトランスポンダは、ペイロードの入力と出力との切り換えを実行する能力を有する。このペイロード上のすべての切り替えは、リソース配分のプライバシーがない状態で、単一の衛星コントローラによって指令を出されて制御される。例えば、デジタルトランスポンダの場合、特定の帯域幅及びアンテナ特性を有するチャネルに対するユーザ要求が出されると、チャネルが設定され、使用され、それから接続が切断される。
【００３２】
開示されたシステムは、非公開のビークルリソース配分及び制御を可能にし、これにより、ビークルのユーザには、要求に応じてリソースを非公開に且つ動的に配分する能力が与えられる。具体的には、開示されたシステムは、仮想トランスポンダを利用する。仮想トランスポンダは、独立した指令及び制御を有する複数のトランスポンダに分割されたトランスポンダである。１つ又は複数の実施形態では、例示的な仮想トランスポンダは、デジタルチャネライザ、デジタルスイッチマトリックス、並びにデジタルトランスポンダを独立した指令及び制御を有する複数のトランスポンダに分割するように構成されたデジタルコンバイナを有するデジタルトランスポンダを含む。仮想トランスポンダの指令及び制御は、要求に応じて帯域幅のためのデジタルスイッチマトリックスの動的配分及び非公開化（ｐｒｉｖａｔｉｚａｔｉｏｎ）をもたらす地上ソフトウェアを介して達成される。
【００３３】
非公開のビークルリソース配分及び制御のための開示されたシステムは、仮想トランスポンダの特定の開示された実施形態（例えば、図１２から１４で示された実施形態）以外の仮想トランスポンダのための様々な種類のトランスポンダを利用することができる。例えば、仮想トランスポンダのために様々な種類のトランスポンダを利用することができるが、それには、限定しないが、様々な種類のデジタルトランスポンダ、様々な種類のアナログトランスポンダ（例えば、従来式のリピータ型トランスポンダ）、及び様々な種類の組み合わせのアナログ／デジタルトランスポンダが含まれる。
【００３４】
下記の説明には、システムのより徹底した説明を提供するために多数の詳細事項が記載されている。しかしながら、開示されたシステムは、これら具体的な詳細事項がなくても実施可能であり得ることは、当業者には明らかであろう。その他の場合では、システムを不要に分かりにくくしないよう、よく知られる特徴については詳細に説明していない。
【００３５】
本開示の実施形態は、本明細書において、機能的及び／又は論理的な構成要素、並びに様々な処理ステップの観点から説明される場合がある。このような構成要素は、特定の機能を実施するように構成された任意の数のハードウェア、ソフトウェア、及び／又はファームウェア構成要素によって実現可能であることを理解されたい。例えば、本開示の実施形態は、様々な集積回路構成要素（例えば、メモリ素子、デジタル信号処理素子、論理素子、ルックアップテーブルなど）を利用し得るが、これらは、１つ又は複数のプロセッサ、マイクロプロセッサ、或いはその他の制御装置の制御の下で、様々な機能を実行することができる。加えて、当業者であれば、本開示の実施形態を他の構成要素と併せて実施することが可能であり、本明細書に記載されたシステムは、本開示の１つの例示的な実施形態に過ぎないことを理解するであろう。
【００３６】
簡潔にするため、衛星通信システムに関する従来の技法及び構成要素、並びにシステム（及びシステムの個別の動作構成要素）のその他の機能的態様は、本明細書に詳細に記載されない場合がある。さらに、本明細書に含まれる種々の図面で示される接続線は、種々の要素間の例示的な機能関連性及び／又は物理的連結を示すことが意図されている。本開示の実施形態には、多数の代替的又は追加的な機能関連性又は物理的連結が存在し得ることに留意すべきである。
【００３７】
図１は、本開示の少なくとも１つの実施形態に係る、仮想トランスポンダのための開示されたシステムの簡略構造を示す図１００である。この図では、複数の可能なホステッドペイロード構成の簡略図が例示されている。具体的には、この図は、宇宙部１１０及び地上部１２０を示す。宇宙部１１０は、ビークルを表す。ビークルとして、限定しないが、飛行ビークルを含む様々な異なる種類のビークルを利用してもよい。また、ビークルとして、限定しないが、衛星、航空機、無人航空機（ＵＡＶ）、及び宇宙飛行機を含む様々な異なる種類の飛行ビークルを利用してもよい。
【００３８】
ビークルとして衛星が利用されている場合、衛星は、通常コンピュータ制御システムを含むことに留意すべきである。衛星は、概して、バス１３０及びペイロード１４０を含む。バス１３０は、衛星を制御するシステム（構成要素を含む）を含み得る。これらのシステムは、電力生成及び制御、熱制御、遠隔測定（テレメトリ）、姿勢制御、軌道制御、並びにその他の適切な動作などのタスクを実行する。
【００３９】
衛星のペイロード１４０は、衛星のユーザに機能を与える。ペイロード１４０は、アンテナ、トランスポンダ、及びその他の適切な装置を含み得る。例えば、通信に関しては、衛星内のペイロード１４０は、インターネットアクセス、電話通信、無線、テレビ、及びその他の種類の通信の提供に使用され得る。
【００４０】
衛星のペイロード１４０は、種々のエンティティに使用され得る。例えば、ペイロード１４０は、衛星の所有者（すなわち、ホストユーザ）、１つ又は複数の顧客（すなわち、ホステッドユーザ）、又はこれらの何らかの組み合わせによって使用され得る。
【００４１】
例えば、衛星の所有者は、ペイロード１４０の種々の部分を種々の顧客にリースする場合がある。一例では、衛星のペイロード１４０によって生成された第１の群のアンテナビームは、第１の顧客にリースされてもよく、第２の群のアンテナビームは、第２の顧客にリースされてもよい。別の例では、衛星のペイロード１４０によって生成された第１の群のアンテナビームは、衛星の所有者によって利用されてもよく、第２の群のアンテナビームは、顧客にリースされてもよい。さらに別の例では、衛星のペイロード１４０によって生成されたアンテナビームの一部又は全ては、第１の顧客及び第２の顧客によって共有されてもよい。別の例では、衛星のペイロード１４０によって生成されたアンテナビームの一部又は全ては、衛星の所有者及び顧客によって共有されてもよい。衛星が種々のユーザによって共有されている場合、ユーザは、衛星に対する共有通信リンク（例えば、インターフェースＡ）を有してもよく、又は、各ユーザは、衛星に対する個々の通信リンク（例えば、インターフェースＡ及びＤ）を有してもよい。
【００４２】
複数の顧客に衛星をリースすることにより、衛星の所有者は、獲得できる収益を増やすことができる。さらに、顧客は、衛星を構築して操作するために、又は、衛星全体をリースするために、顧客が衛星を購入して操作するコストよりも低いコストで、衛星内の全リソースのサブセットを使用する場合がある。
【００４３】
再び図１を見ると、地上部１２０は、ホスト宇宙船オペレーションセンター（ＳＯＣ）（例えば、衛星の所有者と関連する地上ステーション）１５０、及びホステッドペイロード（ＨｏＰ）オペレーションセンター（ＨＯＣ）（例えば、所有者から衛星のペイロードの少なくとも一部をリースしている顧客に関連する地上ステーション）１６０を含む。
【００４４】
図１は、数々の異なる可能な通信リンク（すなわち、インターフェースＡ〜Ｅ）を示す。開示されたシステムは、これらの例示された通信リンクの一部又はすべてを利用することができることに留意すべきである。複数のリンクを含み得るインターフェースＡは、衛星に指令を与えるための、ホストＳＯＣ１５０からのバンド外指令及びテレメトリリンクである。複数のリンクを含み得るインターフェースＢは、バス１３０とペイロード１４０との間の通信リンクである。インターフェースＢは、電力などの必須アイテムを制御するために使用されてもよい。インターフェースＢを介して、バス１３０からペイロード１４０に通信され得る情報は、時間、位置推算表（ｅｐｈｅｍｅｒｉｓ）、及びペイロード指令を含み得るが、これらに限定されない。インターフェースＢを介して、ペイロード１４０からバス１３０に通信され得る情報は、ペイロードテレメトリを含み得るが、これに限定されない。
【００４５】
複数のリンクを含み得るインターフェースＣは、バス及び／又はペイロードのためのバンド内指令及びテレメトリリンクである。複数のリンクを含み得るインターフェースＤは、衛星に指令を与えるための、ＨＯＣ１６０からの指令及びテレメトリリンクである。ホストＳＯＣ１５０とＨＯＣ１６０との間で複数のリンクを含み得るインターフェースＥは、ペイロード１４０のリソース共有に関してＨＯＣから要求を行うことを可能にする。
【００４６】
図２Ａ〜図９Ｈは、本開示の少なくとも１つの実施形態に係る、バンド内指令を用いる仮想トランスポンダのための例示的なシステム及び方法を示す。
【００４７】
図２Ａは、本開示の少なくとも１つの実施形態に係る、ホステッド受信アンテナ２９０に送信されるホステッドユーザ（すなわち、ＨＯＣ）２６０のための、バンド内テレメトリを用いる仮想トランスポンダのための開示されたシステムを示す図２００である。この図では、ビークル２１０、ホストＳＯＣ２５０、及びＨＯＣ２６０を示す。ＨＯＣ２６０は、衛星２５０の所有者（すなわち、ホストＳＯＣ）から、ビークル２１０のペイロード２０５の少なくとも一部分（例えば、１つ又は複数の仮想トランスポンダ）をリースした。幾つかの実施形態では、ＨＯＣ２６０は、衛星２５０の所有者（すなわち、ホストＳＯＣ）から、ビークル２１０のすべてのペイロード２０５をリースし得ることに留意すべきである。また、幾つかの実施形態では、ＨＯＣ２６０は、ビークル２１０のペイロード２０５（例えば、操縦アンテナ）を所有し、ビークル２１０に暗号化ホステッド指令を送信するように、ホストＳＯＣ２５０と契約する場合があることに留意すべきである。
【００４８】
動作中、ＨＯＣ２６０は、第２の通信セキュリティ（ＣＯＭＳＥＣ）種を利用することにより、非暗号化ホステッド指令（すなわち、非暗号化ＨｏＰ  ＣＭＤ）を暗号化して、暗号化ホステッド指令（すなわち、暗号化ＨｏＰ  ＣＭＤ）を生成する。ホステッド指令は、ＨＯＣ２６０がホストＳＯＣ２５０からリースするペイロード２０５の部分（例えば、１つ又は複数の仮想トランスポンダ）を構成するように使用される指令である。ホストＳＯＣ２５０は、第１のＣＯＭＳＥＣ種を利用することにより、非暗号化ホスト指令（すなわち、非暗号化ホストＣＭＤ）を暗号化して、暗号化ホスト指令（すなわち、暗号化ホストＣＭＤ）を生成する。ホスト指令は、ホストＳＯＣ２５０が自身のために利用するペイロード２０５の部分（例えば、１つ又は複数のトランスポンダ）を構成するよう使用される指令である。
【００４９】
図２Ａでは、ホストＳＯＣ２５０の地上アンテナがそのオペレーションビルディングの直ぐ隣にあるように示されているが、他の実施形態では、ホストＳＯＣ２５０の地上アンテナがそのオペレーションビルディングからかなり離れて位置する場合がある（例えば、地上アンテナは、オペレーションビルディングが位置する国とは異なる国に位置する場合がある）ことに留意すべきである。
【００５０】
また、第１のＣＯＭＳＥＣ種は、少なくとも１つの暗号化キー及び／又は少なくとも１つのアルゴリズム（例えば、タイプ１の暗号化アルゴリズム又はタイプ２の暗号化アルゴリズム）を含み得ることに留意するべきである。さらに、第２のＣＯＭＳＥＣ種は、少なくとも１つの暗号化キー及び／又は少なくとも１つの暗号化アルゴリズム（例えば、タイプ１の暗号化アルゴリズム又はタイプ２の暗号化アルゴリズム）を含み得ることに留意するべきである。
【００５１】
ＨＯＣ２６０は、次いで、暗号化ホステッド指令をホストＳＯＣ２５０に送信する（２１５）。ホストＳＯＣ２５０が暗号化ホステッド指令を受信した後、ホストＳＯＣ２５０は、暗号化ホスト指令をビークル２１０に送信し（２２０）、また、暗号化ホステッド指令をビークル２１０に送信する（２２５）。ホストＳＯＣ２５０は、バンド外周波数帯域（すなわち、ペイロードデータの送信に用いられる周波数帯域とは異なる１つ又は複数の周波数帯域）を用いて、暗号化ホスト指令及び暗号化ホステッド指令を送信する（２２０、２２５）。ビークル２１０上のホスト指令受信器２３５は、暗号化ホスト指令を受信する。加えて、ビークル２１０上のホステッド指令受信器２４５は、暗号化ホステッド指令を受信する。
【００５２】
他の実施形態では、バンド内テレメトリを用いる仮想トランスポンダのための開示されたシステムは、図２Ａで示されているよりも多い又は少ない受信器２３５、２４５を利用しうることに留意するべきである。
【００５３】
ホスト指令受信器２３５は、次いで、暗号化ホスト指令を第１の通信セキュリティモジュール２６２に送信する（２５２）。第１の通信セキュリティモジュール２６２は、第１のＣＯＭＳＥＣ種（すなわち、ＣＯＭＳＥＣ種１）を用いて、暗号化ホスト指令を復号して、非暗号化ホスト指令を生成する。
【００５４】
第１の通信セキュリティモジュール２６２が１つ又は複数のモジュールを含み得ることに留意するべきである。さらに、第１の通信セキュリティモジュール２６２は、１つ又は複数のプロセッサを含み得る。
【００５５】
ホステッド指令受信器２４５は、次いで、暗号化ホステッド指令を第２の通信セキュリティモジュール２６５に送信する（２５５）。第２の通信セキュリティモジュール２６５は、第２のＣＯＭＳＥＣ種（すなわち、ＣＯＭＳＥＣ種２）を用いて、暗号化ホステッド指令を復号して、非暗号化ホステッド指令を生成する。
【００５６】
第２の通信セキュリティモジュール２６５が１つ又は複数のモジュールを含み得ることに留意するべきである。さらに、第２の通信セキュリティモジュール２６５は、１つ又は複数のプロセッサを含み得る。
【００５７】
第１の通信セキュリティモジュール２６２は、次いで、非暗号化ホスト指令をペイロード（すなわち、共有のホスト／ホステッドペイロード）２０５に送信する（２７０）。第２の通信セキュリティモジュール２６５は、非暗号化ホステッド指令をペイロード（すなわち、共有のホスト／ホステッドペイロード）２０５に送信する（２７５）。ペイロード２０５は、非暗号化ホスト指令及び／又は非暗号化ホステッド指令に従って再構成される。ペイロードアンテナ２８０は、次いで、（例えば、１つ又は複数のアンテナビーム２８１内で）ペイロードデータを地上のホスト受信アンテナ２８５及び／又はホステッド受信アンテナ２９０に送信する。幾つかの実施形態では、ホステッド受信アンテナ２９０は、図２Ａで示されているように、航空ベース、海上ベース、又は地上ベースであってもよいことに留意するべきである。
【００５８】
さらに、図２Ａでは、アンテナビーム２８１は、複数の円形スポットビームを含むように示されているが、他の実施形態では、アンテナビーム２８１は、図２Ａで示されているビームよりも多い数又は少ない数のビームを含み得（例えば、アンテナビーム２８１は、単一のビームのみを含み得る）、アンテナビーム２８１は、図２Ａに示す円形スポットビームとは異なる形状のビームを含み得る（例えば、アンテナビーム２８１は、楕円形ビーム及び／又は様々な異なる形状の成形されたビームを含み得る）。
【００５９】
１つ又は複数の実施形態では、ペイロードアンテナ２８０は、限定しないが、パラボラリフレクタ及び／又は成形されたリフレクタを含む１つ又は複数のリフレクタディッシュを含み得ることに留意するべきである。幾つかの実施形態では、ペイロードアンテナ２８０は、１つ又は複数のマルチフィードアンテナアレイを含み得る。
【００６０】
ペイロード２０５は、非暗号化ホストテレメトリ（すなわち、ホストＳＯＣ２５０によって利用されるペイロード２０５の部分に関連するテレメトリデータである、非暗号化ホストＴＬＭ）を第１の通信セキュリティモジュール２６２に送信する（２９１）。第１の通信セキュリティモジュール２６２は、次いで、第１のＣＯＭＳＥＣ種を用いて、非暗号化ホストテレメトリを暗号化して、暗号化ホストテレメトリ（すなわち、暗号化ホストＴＬＭ）を生成する。
【００６１】
ペイロード２０５は、非暗号化ホステッドテレメトリ（すなわち、ＨＯＣ２６０によってリースされるペイロード２０５の部分に関連するテレメトリデータである、非暗号化ＨｏＰ  ＴＬＭ）を第２の通信セキュリティモジュール２６５に送信する（２９２）。第２の通信セキュリティモジュール２６５は、次いで、第２のＣＯＭＳＥＣ種を用いて、非暗号化ホステッドテレメトリを暗号化して、暗号化ホステッドテレメトリ（すなわち、暗号化ＨｏＰ  ＴＬＭ）を生成する。
【００６２】
第１の通信セキュリティモジュール２６２は、次いで、暗号化ホストテレメトリをホストテレメトリ送信器２９４に送信する（２９３）。ホストテレメトリ送信器２９４は、次いで、暗号化ホストテレメトリをホストＳＯＣ２５０に送信する（２９５）。ホストＳＯＣ２５０は、次いで、第１のＣＯＭＳＥＣ種を用いて、暗号化ホストテレメトリを復号して、非暗号化ホストテレメトリを生成する。
【００６３】
第２の通信セキュリティモジュール２６５は、次いで、暗号化ホステッドテレメトリをペイロード２０５に送信する（２９６）。ペイロードアンテナ２８０は、次いで、暗号化ホステッドテレメトリをホステッド受信アンテナ２９０に送信する（２９７）。ペイロードアンテナ２８０は、バンド内周波数帯域（すなわち、ペイロードデータの送信に用いられる少なくとも１つの周波数帯域と同じ少なくとも１つの周波数帯域）を用いて、暗号化ホステッドテレメトリを送信する（２９７）。ホステッド受信アンテナ２９０は、次いで、暗号化ホステッドテレメトリをＨＯＣ２６０に送信する（２９８）。ＨＯＣ２６０は、次いで、第２のＣＯＭＳＥＣ種を用いて、暗号化ホステッドテレメトリを復号して、非暗号化ホステッドテレメトリを生成する。
【００６４】
図２Ｂは、本開示の少なくとも１つの実施形態に係る、ホスト受信アンテナ２０８５に送信されるホステッドユーザ（すなわち、ＨＯＣ）２０６０のための、バンド内テレメトリを用いる仮想トランスポンダのための開示されたシステムを示す図２０００である。この図では、ビークル２０１０、ホストＳＯＣ２０５０、及びＨＯＣ２０６０を示す。ＨＯＣ２０６０は、衛星２０５０の所有者（すなわち、ホストＳＯＣ）から、ビークル２０１０のペイロード２００５の少なくとも一部分（例えば、１つ又は複数の仮想トランスポンダ）をリースした。幾つかの実施形態では、ＨＯＣ２０６０は、衛星２０５０の所有者（すなわち、ホストＳＯＣ）から、ビークル２０１０のすべてのペイロード２００５をリースし得ることに留意すべきである。さらに、幾つかの実施形態では、ＨＯＣ２０６０は、ビークル２０１０のペイロード２００５（例えば、操縦アンテナ）を所有し、ビークル２０１０に暗号化ホステッド指令を送信するように、ホストＳＯＣ２０５０と契約する場合があることに留意すべきである。
【００６５】
動作中、ＨＯＣ２０６０は、第２のＣＯＭＳＥＣ種を利用することにより、非暗号化ホステッド指令（すなわち、非暗号化ＨｏＰ  ＣＭＤ）を暗号化して、暗号化ホステッド指令（すなわち、暗号化ＨｏＰ  ＣＭＤ）を生成する。ホステッド指令は、ＨＯＣ２０６０がホストＳＯＣ２０５０からリースするペイロード２００５の部分（例えば、１つ又は複数の仮想トランスポンダ）を構成するように使用される指令である。ホストＳＯＣ２０５０は、第１のＣＯＭＳＥＣ種を利用することにより、非暗号化ホスト指令（すなわち、非暗号化ホストＣＭＤ）を暗号化して、暗号化ホスト指令（すなわち、暗号化ホストＣＭＤ）を生成する。ホスト指令は、ホストＳＯＣ２０５０が自身のために利用するペイロード２００５の部分（例えば、１つ又は複数のトランスポンダ）を構成するように使用される指令である。
【００６６】
図２Ｂでは、ホストＳＯＣ２０５０の地上アンテナがそのオペレーションビルディングの直ぐ隣にあるように示されているが、他の実施形態では、ホストＳＯＣ２０５０の地上アンテナがそのオペレーションビルディングからかなり離れて位置する場合がある（例えば、地上アンテナは、オペレーションビルディングが位置する国とは異なる国に位置する場合がある）ことに留意すべきである。
【００６７】
また、第１のＣＯＭＳＥＣ種は、少なくとも１つの暗号化キー及び／又は少なくとも１つのアルゴリズム（例えば、タイプ１の暗号化アルゴリズム又はタイプ２の暗号化アルゴリズム）を含み得ることに留意するべきである。さらに、第２のＣＯＭＳＥＣ種は、少なくとも１つの暗号化キー及び／又は少なくとも１つの暗号化アルゴリズム（例えば、タイプ１の暗号化アルゴリズム又はタイプ２の暗号化アルゴリズム）を含み得ることに留意するべきである。
【００６８】
ＨＯＣ２０６０は、次いで、暗号化ホステッド指令をホストＳＯＣ２０５０に送信する（２０１５）。ホストＳＯＣ２０５０が暗号化ホステッド指令を受信した後、ホストＳＯＣ２０５０は、暗号化ホスト指令をビークル２０１０に送信し（２０２０）、また、暗号化ホステッド指令をビークル２０１０に送信する（２０２５）。ホストＳＯＣ２０５０は、バンド外周波数帯域（すなわち、ペイロードデータの送信に用いられる周波数帯域とは異なる１つ又は複数の周波数帯域）を用いて、暗号化ホスト指令及び暗号化ホステッド指令を送信する（２０２０、２０２５）。ビークル２０１０上のホスト指令受信器２０３５は、暗号化ホスト指令を受信する。加えて、ビークル２０１０上のホステッド指令受信器２０４５は、暗号化ホステッド指令を受信する。
【００６９】
他の実施形態では、バンド内テレメトリを用いる仮想トランスポンダのための開示されたシステムは、図２Ｂで示されているよりも多い又は少ない受信器２０３５、２０４５を利用しうることに留意するべきである。
【００７０】
ホスト指令受信器２０３５は、次いで、暗号化ホスト指令を第１の通信セキュリティモジュール２０６２に送信する（２０５２）。第１の通信セキュリティモジュール２０６２は、第１のＣＯＭＳＥＣ種（すなわち、ＣＯＭＳＥＣ種１）を用いて、暗号化ホスト指令を復号して、非暗号化ホスト指令を生成する。
【００７１】
第１の通信セキュリティモジュール２０６２が１つ又は複数のモジュールを含み得ることに留意するべきである。さらに、第１の通信セキュリティモジュール２０６２は、１つ又は複数のプロセッサを含み得る。
【００７２】
ホステッド指令受信器２０４５は、次いで、暗号化ホステッド指令を第２の通信セキュリティモジュール２０６５に送信する（２０５５）。第２の通信セキュリティモジュール２０６５は、第２のＣＯＭＳＥＣ種（すなわち、ＣＯＭＳＥＣ種２）を用いて、暗号化ホステッド指令を復号して、非暗号化ホステッド指令を生成する。
【００７３】
第２の通信セキュリティモジュール２０６５が１つ又は複数のモジュールを含み得ることに留意するべきである。さらに、第２の通信セキュリティモジュール２０６５は、１つ又は複数のプロセッサを含み得る。
【００７４】
第１の通信セキュリティモジュール２０６２は、次いで、非暗号化ホスト指令をペイロード（すなわち、共有のホスト／ホステッドペイロード）２００５に送信する（２０７０）。第２の通信セキュリティモジュール２０６５は、非暗号化ホステッド指令をペイロード（すなわち、共有のホスト／ホステッドペイロード）２００５に送信する（２０７５）。ペイロード２００５は、非暗号化ホスト指令及び／又は非暗号化ホステッド指令に従って再構成される。ペイロードアンテナ２０８０は、次いで、（例えば、１つ又は複数のアンテナビーム２０８１内で）ペイロードデータを地上のホスト受信アンテナ２０８５及び／又はホステッド受信アンテナ２０９０に送信する。幾つかの実施形態では、ホステッド受信アンテナ２０９０は、図２Ｂで示されているように、航空ベース、海上ベース、又は地上ベースであってもよいことに留意するべきである。
【００７５】
さらに、図２Ｂでは、アンテナビーム２０８１は、複数の円形スポットビームを含むように示されているが、他の実施形態では、アンテナビーム２０８１は、図２Ｂで示されているビームよりも多い数又は少ない数のビームを含み得（例えば、アンテナビーム２０８１は、単一のビームのみを含み得る）、アンテナビーム２０８１は、図２Ｂに示す円形スポットビームとは異なる形状のビームを含み得る（例えば、アンテナビーム２０８１は、楕円形ビーム及び／又は様々な異なる形状の成形されたビームを含み得る）。
【００７６】
１つ又は複数の実施形態では、ペイロードアンテナ２０８０は、限定しないが、パラボラリフレクタ及び／又は成形されたリフレクタを含む１つ又は複数のリフレクタディッシュを含み得ることに留意するべきである。幾つかの実施形態では、ペイロードアンテナ２０８０は、１つ又は複数のマルチフィードアンテナアレイを含み得る。
【００７７】
ペイロード２００５は、非暗号化ホストテレメトリ（すなわち、ホストＳＯＣ２０５０によって利用されるペイロード２００５の部分に関連するテレメトリデータである、非暗号化ホストＴＬＭ）を第１の通信セキュリティモジュール２０６２に送信する（２０９１）。第１の通信セキュリティモジュール２０６２は、次いで、第１のＣＯＭＳＥＣ種を用いて、非暗号化ホストテレメトリを暗号化して、暗号化ホストテレメトリ（すなわち、暗号化ホストＴＬＭ）を生成する。
【００７８】
ペイロード２００５は、非暗号化ホステッドテレメトリ（すなわち、ＨＯＣ２０６０によってリースされるペイロード２００５の部分に関連するテレメトリデータである、非暗号化ＨｏＰ  ＴＬＭ）を第２の通信セキュリティモジュール２０６５に送信する（２０９２）。第２の通信セキュリティモジュール２０６５は、次いで、第２のＣＯＭＳＥＣ種を用いて、非暗号化ホステッドテレメトリを暗号化して、暗号化ホステッドテレメトリ（すなわち、暗号化ＨｏＰ  ＴＬＭ）を生成する。
【００７９】
第１の通信セキュリティモジュール２０６２は、次いで、暗号化ホストテレメトリをホストテレメトリ送信器２０９４に送信する（２０９３）。ホストテレメトリ送信器２０９４は、次いで、暗号化ホストテレメトリをホストＳＯＣ２０５０に送信する（２０９５）。ホストＳＯＣ２０５０は、次いで、第１のＣＯＭＳＥＣ種を用いて、暗号化ホストテレメトリを復号して、非暗号化ホストテレメトリを生成する。
【００８０】
第２の通信セキュリティモジュール２０６５は、次いで、暗号化ホステッドテレメトリをペイロード２００５に送信する（２０９６）。ペイロードアンテナ２０８０は、次いで、暗号化ホステッドテレメトリをホスト受信アンテナ２０８５に送信する（２０９７）。ペイロードアンテナ２０８０は、バンド内周波数帯域（すなわち、ペイロードデータの送信に用いられる少なくとも１つの周波数帯域と同じ少なくとも１つの周波数帯域）を用いて、暗号化ホステッドテレメトリを送信する（２０９７）。ホスト受信アンテナ２０８５は、次いで、暗号化ホステッドテレメトリをホストＳＯＣ２０５０に送信する（２０９８）。ホストＳＯＣ２０５０は、暗号化ホステッドテレメトリをＨＯＣ２０６０に送信する（２０９９）。ＨＯＣ２０６０は、次いで、第２のＣＯＭＳＥＣ種を用いて、暗号化ホステッドテレメトリを復号して、非暗号化ホステッドテレメトリを生成する。
【００８１】
図３Ａ、３Ｂ、３Ｃ、及び３Ｄは、本開示の少なくとも１つの実施形態に係る、ホステッド受信アンテナに送信される、ホステッドユーザのためのバンド内テレメトリを用いる仮想トランスポンダのための開示された方法のフロー図を共に示す。当該方法の開始３００では、ホステッドペイロード（ＨｏＰ）オペレーションセンター（ＨＯＣ）は、第２のＣＯＭＳＥＣ種を用いることにより、非暗号化ホステッド指令を暗号化し、暗号化ホステッド指令を生成する（３０５）。次いで、ＨＯＣは、暗号化ホステッド指令をホスト宇宙船オペレーションセンター（ＳＯＣ）に送信する（３１０）。ホストＳＯＣは、第１のＣＯＭＳＥＣ種を用いることにより、非暗号化ホスト指令を暗号化し、暗号化ホスト指令を生成する（３１５）。次いで、ホストＳＯＣは、暗号化ホスト指令及び暗号化ホステッド指令をビークルに（バンド外で）送信する（３２０）。
【００８２】
次いで、ビークル上のホスト指令受信器は、暗号化ホスト指令を受信する（３２５）。また、ビークル上のホステッド指令受信器は、暗号化ホステッド指令を受信する（３３０）。ホスト指令受信器は、暗号化ホスト指令を第１の通信セキュリティモジュールに送信する（３３５）。ホステッド指令受信器は、暗号化ホステッド指令を第２の通信セキュリティモジュールに送信する（３４０）。第１の通信セキュリティモジュールは、次いで、第１のＣＯＭＳＥＣ種を用いて、暗号化ホスト指令を復号し、非暗号化ホスト指令を生成する（３４５）。第２の通信セキュリティモジュールは、次いで、第２のＣＯＭＳＥＣ種を用いて、暗号化ホステッド指令を復号し、非暗号化ホステッド指令を生成する（３５０）。
【００８３】
第１の通信セキュリティモジュールは、次いで、非暗号化ホスト指令をペイロードに送信する（３５５）。第２の通信セキュリティモジュールは、次いで、非暗号化ホステッド指令をペイロードに送信する（３６０）。次いで、ペイロードは、非暗号化ホスト指令及び／又は非暗号化ホステッド指令に従って再構成される（３６５）。ビークル上のペイロードアンテナは、次いで、ペイロードデータをホスト受信アンテナ及び／又はホステッド受信アンテナに送信する（３７０）。
【００８４】
次いで、ペイロードは、第１の通信セキュリティモジュールに非暗号化ホストテレメトリを送信する（３７５）。また、ペイロードは、第２の通信セキュリティモジュールに非暗号化ホステッドテレメトリを送信する（３８０）。第１の通信セキュリティモジュールは、第１のＣＯＭＳＥＣ種を用いて、非暗号化ホストテレメトリを暗号化し、暗号化ホストテレメトリを生成する（３８５）。また、第２の通信セキュリティモジュールは、第２のＣＯＭＳＥＣ種を用いて、非暗号化ホステッドテレメトリを暗号化し、暗号化ホステッドテレメトリを生成する（３９０）。
【００８５】
第１の通信セキュリティモジュールは、次いで、暗号化ホストテレメトリをホストテレメトリ送信器に送信する（３９１）。次いで、ホストテレメトリ送信器は、暗号化ホストテレメトリをホストＳＯＣに送信する（３９２）。ホストＳＯＣは、次いで、第１のＣＯＭＳＥＣ種を用いて、暗号化ホストテレメトリを復号して、非暗号化ホストテレメトリを生成する（３９３）。
【００８６】
第２の通信セキュリティモジュールは、暗号化ホステッドテレメトリをペイロードに送信する（３９４）。次いで、ペイロードアンテナは、暗号化ホステッドテレメトリをホステッド受信アンテナに送信する（３９５）。ホステッド受信アンテナは、次いで、暗号化ホステッドテレメトリをＨＯＣに送信する（３９６）。次いで、ＨＯＣは、第２のＣＯＭＳＥＣ種を用いて、暗号化ホステッドテレメトリを復号し、非暗号化ホステッドテレメトリを生成する（３９７）。次いで、方法は終了する（３９８）。
【００８７】
図３Ｅ、３Ｆ、３Ｇ、及び３Ｈは、本開示の少なくとも１つの実施形態に係る、ホスト受信アンテナに送信される、ホステッドユーザのためのバンド内テレメトリを用いる仮想トランスポンダのための開示された方法のフロー図を共に示す。当該方法の開始３０００では、ホステッドペイロード（ＨｏＰ）オペレーションセンター（ＨＯＣ）は、第２のＣＯＭＳＥＣ種を用いることにより、非暗号化ホステッド指令を暗号化し、暗号化ホステッド指令を生成する（３００５）。次いで、ＨＯＣは、暗号化ホステッド指令をホスト宇宙船オペレーションセンター（ＳＯＣ）に送信する（３０１０）。ホストＳＯＣは、第１のＣＯＭＳＥＣ種を用いることにより、非暗号化ホスト指令を暗号化し、暗号化ホスト指令を生成する（３０１５）。次いで、ホストＳＯＣは、暗号化ホスト指令及び暗号化ホステッド指令をビークルに（バンド外で）送信する（３０２０）。
【００８８】
次いで、ビークル上のホスト指令受信器は、暗号化ホスト指令を受信する（３０２５）。また、ビークル上のホステッド指令受信器は、暗号化ホステッド指令を受信する（３０３０）。ホスト指令受信器は、暗号化ホスト指令を第１の通信セキュリティモジュールに送信する（３０３５）。ホステッド指令受信器は、暗号化ホステッド指令を第２の通信セキュリティモジュールに送信する（３０４０）。第１の通信セキュリティモジュールは、次いで、第１のＣＯＭＳＥＣ種を用いて、暗号化ホスト指令を復号し、非暗号化ホスト指令を生成する（３０４５）。第２の通信セキュリティモジュールは、次いで、第２のＣＯＭＳＥＣ種を用いて、暗号化ホステッド指令を復号し、非暗号化ホステッド指令を生成する（３０５０）。
【００８９】
第１の通信セキュリティモジュールは、次いで、非暗号化ホスト指令をペイロードに送信する（３０５５）。第２の通信セキュリティモジュールは、次いで、非暗号化ホステッド指令をペイロードに送信する（３０６０）。次いで、ペイロードは、非暗号化ホスト指令及び／又は非暗号化ホステッド指令に従って再構成される（３０６５）。ビークル上のペイロードアンテナは、次いで、ペイロードデータをホスト受信アンテナ及び／又はホステッド受信アンテナに送信する（３０７０）。
【００９０】
次いで、ペイロードは、第１の通信セキュリティモジュールに非暗号化ホストテレメトリを送信する（３０７５）。また、ペイロードは、第２の通信セキュリティモジュールに非暗号化ホステッドテレメトリを送信する（３０８０）。第１の通信セキュリティモジュールは、第１のＣＯＭＳＥＣ種を用いて、非暗号化ホストテレメトリを暗号化し、暗号化ホストテレメトリを生成する（３０８５）。また、第２の通信セキュリティモジュールは、第２のＣＯＭＳＥＣ種を用いて、非暗号化ホステッドテレメトリを暗号化し、暗号化ホステッドテレメトリを生成する（３０９０）。
【００９１】
第１の通信セキュリティモジュールは、次いで、暗号化ホストテレメトリをホストテレメトリ送信器に送信する（３０９１）。次いで、ホストテレメトリ送信器は、暗号化ホストテレメトリをホストＳＯＣに送信する（３０９２）。ホストＳＯＣは、次いで、第１のＣＯＭＳＥＣ種を用いて、暗号化ホストテレメトリを復号して、非暗号化ホストテレメトリを生成する（３０９３）。
【００９２】
第２の通信セキュリティモジュールは、暗号化ホステッドテレメトリをペイロードに送信する（３０９４）。次いで、ペイロードアンテナは、暗号化ホステッドテレメトリをホスト受信アンテナに送信する（３０９５）。ホスト受信アンテナは、次いで、暗号化ホステッドテレメトリをホストＳＯＣに送信する（３０９６）。ホストＳＯＣは、暗号化ホステッドテレメトリをＨＯＣに送信する（３０９７）。次いで、ＨＯＣは、第２のＣＯＭＳＥＣ種を用いて、暗号化ホステッドテレメトリを復号し、非暗号化ホステッドテレメトリを生成する（３０９８）。次いで、方法は終了する（３０９９）。
【００９３】
図４は、本開示の少なくとも１つの実施形態に係る、ホストユーザ（すなわち、ホストＳＯＣ）４５０のための、バンド内指令を用いる仮想トランスポンダのための開示されたシステムを示す図４００である。この図では、ビークル４１０、ホストＳＯＣ４５０、及びＨＯＣ４６０を示す。ＨＯＣ４６０は、衛星４５０の所有者（すなわち、ホストＳＯＣ）から、ビークル４１０のペイロード４０５の少なくとも一部分（例えば、１つ又は複数の仮想トランスポンダ）をリースした。幾つかの実施形態では、ＨＯＣ４６０は、衛星４５０の所有者（すなわち、ホストＳＯＣ）から、ビークル４１０のすべてのペイロード４０５をリースし得ることに留意すべきである。さらに、幾つかの実施形態では、ＨＯＣ４６０は、ビークル４１０のペイロード４０５（例えば、操縦アンテナ）を所有し、ビークル４１０に暗号化ホステッド指令を送信するように、ホストＳＯＣ４５０と契約する場合があることに留意すべきである。
【００９４】
動作中、ＨＯＣ４６０は、第２のＣＯＭＳＥＣ種を利用することにより、非暗号化ホステッド指令（すなわち、非暗号化ＨｏＰ  ＣＭＤ）を暗号化して、暗号化ホステッド指令（すなわち、暗号化ＨｏＰ  ＣＭＤ）を生成する。ホステッド指令は、ＨＯＣ４６０がホストＳＯＣ４５０からリースするペイロード４０５の部分（例えば、１つ又は複数の仮想トランスポンダ）を構成するように使用される指令である。ホストＳＯＣ４５０は、第１のＣＯＭＳＥＣ種を利用することにより、非暗号化ホスト指令（すなわち、非暗号化ホストＣＭＤ）を暗号化して、暗号化ホスト指令（すなわち、暗号化ホストＣＭＤ）を生成する。ホスト指令は、ホストＳＯＣ４５０が自身のために利用するペイロード４０５の部分（例えば、１つ又は複数のトランスポンダ）を構成するように使用される指令である。
【００９５】
図４では、ホストＳＯＣ４５０の地上アンテナがそのオペレーションビルディングの直ぐ隣にあるように示されているが、他の実施形態では、ホストＳＯＣ４５０の地上アンテナがそのオペレーションビルディングからかなり離れて位置する場合がある（例えば、地上アンテナは、オペレーションビルディングが位置する国とは異なる国に位置する場合がある）ことに留意すべきである。
【００９６】
また、第１のＣＯＭＳＥＣ種は、少なくとも１つの暗号化キー及び／又は少なくとも１つのアルゴリズム（例えば、タイプ１の暗号化アルゴリズム又はタイプ２の暗号化アルゴリズム）を含み得ることに留意するべきである。さらに、第２のＣＯＭＳＥＣ種は、少なくとも１つの暗号化キー及び／又は少なくとも１つの暗号化アルゴリズム（例えば、タイプ１の暗号化アルゴリズム又はタイプ２の暗号化アルゴリズム）を含み得ることに留意するべきである。
【００９７】
ＨＯＣ４６０は、次いで、暗号化ホステッド指令をホストＳＯＣ４５０に送信する（４１５）。ホストＳＯＣ４５０が暗号化ホステッド指令を受信した後、ホストＳＯＣ４５０は、暗号化ホスト指令をビークル４１０に送信し（４２０）、また、暗号化ホステッド指令をビークル４１０に送信する（４２５）。ホストＳＯＣ４５０は、バンド外周波数帯域（すなわち、ペイロードデータの送信に用いられる周波数帯域とは異なる１つ又は複数の周波数帯域）を用いて、暗号化ホスト指令及び暗号化ホステッド指令を送信する（４２０、４２５）。ビークル４１０上のホスト指令受信器４３５は、暗号化ホスト指令を受信する。加えて、ビークル４１０上のホステッド指令受信器４４５は、暗号化ホステッド指令を受信する。
【００９８】
他の実施形態では、バンド内テレメトリを用いる仮想トランスポンダのための開示されたシステムは、図４で示されているよりも多い又は少ない受信器４３５、４４５を利用しうることに留意するべきである。
【００９９】
ホスト指令受信器４３５は、次いで、暗号化ホスト指令を第１の通信セキュリティモジュール４６２に送信する（４５２）。第１の通信セキュリティモジュール４６２は、第１のＣＯＭＳＥＣ種（すなわち、ＣＯＭＳＥＣ種１）を用いて、暗号化ホスト指令を復号して、非暗号化ホスト指令を生成する。
【０１００】
第１の通信セキュリティモジュール４６２が１つ又は複数のモジュールを含み得ることに留意するべきである。さらに、第１の通信セキュリティモジュール４６２は、１つ又は複数のプロセッサを含み得る。
【０１０１】
ホステッド指令受信器４４５は、次いで、暗号化ホステッド指令を第２の通信セキュリティモジュール４６５に送信する（４５５）。第２の通信セキュリティモジュール４６５は、第２のＣＯＭＳＥＣ種（すなわち、ＣＯＭＳＥＣ種２）を用いて、暗号化ホステッド指令を復号して、非暗号化ホステッド指令を生成する。
【０１０２】
第２の通信セキュリティモジュール４６５が１つ又は複数のモジュールを含み得ることに留意するべきである。さらに、第２の通信セキュリティモジュール４６５は、１つ又は複数のプロセッサを含み得る。
【０１０３】
第１の通信セキュリティモジュール４６２は、次いで、非暗号化ホスト指令をペイロード（すなわち、共有のホスト／ホステッドペイロード）４０５に送信する（４７０）。第２の通信セキュリティモジュール４６５は、非暗号化ホステッド指令をペイロード（すなわち、共有のホスト／ホステッドペイロード）４０５に送信する（４７５）。ペイロード４０５は、非暗号化ホスト指令及び／又は非暗号化ホステッド指令に従って再構成される。ペイロードアンテナ４８０は、次いで、（例えば、１つ又は複数のアンテナビーム４８１内で）ペイロードデータを地上のホスト受信アンテナ４８５及び／又はホステッド受信アンテナ４９０に送信する。幾つかの実施形態では、ホステッド受信アンテナ４９０は、図４で示されているように、航空ベース、海上ベース、又は地上ベースであってもよいことに留意するべきである。
【０１０４】
さらに、図４では、アンテナビーム４８１は、複数の円形スポットビームを含むように示されているが、他の実施形態では、アンテナビーム４８１は、図４で示されているビームよりも多い数又は少ない数のビームを含み得（例えば、アンテナビーム４８１は、単一のビームのみを含み得る）、アンテナビーム４８１は、図４に示す円形スポットビームとは異なる形状のビームを含み得る（例えば、アンテナビーム４８１は、楕円形ビーム及び／又は様々な異なる形状の成形されたビームを含み得る）。
【０１０５】
１つ又は複数の実施形態では、ペイロードアンテナ４８０は、限定しないが、パラボラリフレクタ及び／又は成形されたリフレクタを含む１つ又は複数のリフレクタディッシュを含み得ることに留意するべきである。幾つかの実施形態では、ペイロードアンテナ４８０は、１つ又は複数のマルチフィードアンテナアレイを含み得る。
【０１０６】
ペイロード４０５は、非暗号化ホストテレメトリ（すなわち、ホストＳＯＣ４５０によって利用されるペイロード４０５の部分に関連するテレメトリデータである、非暗号化ホストＴＬＭ）を第１の通信セキュリティモジュール４６２に送信する（４９１）。第１の通信セキュリティモジュール４６２は、次いで、第１のＣＯＭＳＥＣ種を用いて、非暗号化ホストテレメトリを暗号化して、暗号化ホストテレメトリ（すなわち、暗号化ホストＴＬＭ）を生成する。
【０１０７】
ペイロード４０５は、非暗号化ホステッドテレメトリ（すなわち、ＨＯＣ４６０によってリースされるペイロード４０５の部分に関連するテレメトリデータである、非暗号化ＨｏＰ  ＴＬＭ）を第２の通信セキュリティモジュール４６５に送信する（４９２）。第２の通信セキュリティモジュール４６５は、次いで、第２のＣＯＭＳＥＣ種を用いて、非暗号化ホステッドテレメトリを暗号化して、暗号化ホステッドテレメトリ（すなわち、暗号化ＨｏＰ  ＴＬＭ）を生成する。
【０１０８】
第１の通信セキュリティモジュール４６２は、次いで、暗号化ホストテレメトリをペイロード４０５に送信する（４９３）。ペイロードアンテナ４８０は、次いで、暗号化ホストテレメトリをホスト受信アンテナ４８５に送信する（４９７）。ペイロードアンテナ４８０は、バンド内周波数帯域（すなわち、ペイロードデータの送信に用いられる少なくとも１つの周波数帯域と同じ少なくとも１つの周波数帯域）を用いて、暗号化ホストテレメトリを送信する（４９７）。ホスト受信アンテナ４８５は、次いで、暗号化ホストテレメトリをホストＳＯＣ４５０に送信する（４９８）。ホストＳＯＣ４５０は、次いで、第１のＣＯＭＳＥＣ種を用いて、暗号化ホストテレメトリを復号して、非暗号化ホストテレメトリを生成する。
【０１０９】
第２の通信セキュリティモジュール４６５は、次いで、暗号化ホステッドテレメトリをホステッドテレメトリ送信器４９４に送信する（４９６）。ホステッドテレメトリ送信器４９４は、次いで、暗号化ホステッドテレメトリをホストＳＯＣ４５０に送信する（４９５）。ホストＳＯＣ４５０は、次いで、暗号化ホステッドテレメトリをＨＯＣ４６０に送信する（４９９）。ＨＯＣ４６０は、次いで、第２のＣＯＭＳＥＣ種を用いて、暗号化ホステッドテレメトリを復号して、非暗号化ホステッドテレメトリを生成する。
【０１１０】
図５Ａ、５Ｂ、５Ｃ、及び５Ｄは、本開示の少なくとも１つの実施形態に係る、ホストユーザのための、バンド内テレメトリを用いる仮想トランスポンダのための開示された方法のフロー図を共に示す。当該方法の開始５００では、ホステッドペイロード（ＨｏＰ）オペレーションセンター（ＨＯＣ）は、第２のＣＯＭＳＥＣ種を用いることにより、非暗号化ホステッド指令を暗号化し、暗号化ホステッド指令を生成する（５０５）。次いで、ＨＯＣは、暗号化ホステッド指令をホスト宇宙船オペレーションセンター（ＳＯＣ）に送信する（５１０）。ホストＳＯＣは、第１のＣＯＭＳＥＣ種を用いることにより、非暗号化ホスト指令を暗号化し、暗号化ホスト指令を生成する（５１５）。次いで、ホストＳＯＣは、暗号化ホスト指令及び暗号化ホステッド指令をビークルに（バンド外で）送信する（５２０）。
【０１１１】
次いで、ビークル上のホスト指令受信器は、暗号化ホスト指令を受信する（５２５）。また、ビークル上のホステッド指令受信器は、暗号化ホステッド指令を受信する（５３０）。ホスト指令受信器は、暗号化ホスト指令を第１の通信セキュリティモジュールに送信する（５３５）。ホステッド指令受信器は、暗号化ホステッド指令を第２の通信セキュリティモジュールに送信する（５４０）。第１の通信セキュリティモジュールは、次いで、第１のＣＯＭＳＥＣ種を用いて、暗号化ホスト指令を復号し、非暗号化ホスト指令を生成する（５４５）。第２の通信セキュリティモジュールは、次いで、第２のＣＯＭＳＥＣ種を用いて、暗号化ホステッド指令を復号し、非暗号化ホステッド指令を生成する（５５０）。
【０１１２】
第１の通信セキュリティモジュールは、次いで、非暗号化ホスト指令をペイロードに送信する（５５５）。第２の通信セキュリティモジュールは、次いで、非暗号化ホステッド指令をペイロードに送信する（５６０）。次いで、ペイロードは、非暗号化ホスト指令及び／又は非暗号化ホステッド指令に従って再構成される（５６５）。ビークル上のペイロードアンテナは、次いで、ペイロードデータをホスト受信アンテナ及び／又はホステッド受信アンテナに送信する（５７０）。
【０１１３】
次いで、ペイロードは、第１の通信セキュリティモジュールに非暗号化ホストテレメトリを送信する（５７５）。また、ペイロードは、第２の通信セキュリティモジュールに非暗号化ホステッドテレメトリを送信する（５８０）。第１の通信セキュリティモジュールは、第１のＣＯＭＳＥＣ種を用いて、非暗号化ホストテレメトリを暗号化し、暗号化ホストテレメトリを生成する（５８５）。また、第２の通信セキュリティモジュールは、第２のＣＯＭＳＥＣ種を用いて、非暗号化ホステッドテレメトリを暗号化し、暗号化ホステッドテレメトリを生成する（５９０）。
【０１１４】
第１の通信セキュリティモジュールは、次いで、暗号化ホストテレメトリをペイロードに送信する（５９１）。次いで、ペイロードアンテナは、暗号化ホストテレメトリをホスト受信アンテナに送信する（５９２）。ホスト受信アンテナは、暗号化ホストテレメトリをホストＳＯＣに送信する（５９３）。次いで、ホストＳＯＣは、第１のＣＯＭＳＥＣ種を用いて、暗号化ホストテレメトリを復号し、非暗号化ホストテレメトリを生成する（５９４）。
【０１１５】
第２の通信セキュリティモジュールは、次いで、暗号化ホステッドテレメトリをホステッドテレメトリ送信器に送信する（５９５）。次いで、ホステッドテレメトリ送信器は、暗号化ホステッドテレメトリをホストＳＯＣに送信する（５９６）。ホストＳＯＣは、暗号化ホステッドテレメトリをＨＯＣに送信する（５９７）。次いで、ＨＯＣは、第２のＣＯＭＳＥＣ種を用いて、暗号化ホステッドテレメトリを復号し、非暗号化ホステッドテレメトリを生成する（５９８）。次いで、方法は終了する（５９９）。
【０１１６】
図６Ａは、本開示の少なくとも１つの実施形態に係る、ホスト受信アンテナ６８５及びホステッド受信アンテナ６９０に送信される、ホストユーザ（すなわち、ホストＳＯＣ）６５０及びホステッドユーザ（すなわち、ＨＯＣ）６６０のためのバンド内テレメトリを用いる仮想トランスポンダのための開示されたシステムを示す図６００である。この図では、ビークル６１０、ホストＳＯＣ６５０、及びＨＯＣ６６０を示す。ＨＯＣ６６０は、衛星６５０の所有者（すなわち、ホストＳＯＣ）から、ビークル６１０のペイロード６０５の少なくとも一部分（例えば、１つ又は複数の仮想トランスポンダ）をリースした。幾つかの実施形態では、ＨＯＣ６６０は、衛星６５０の所有者（すなわち、ホストＳＯＣ）から、ビークル６１０のすべてのペイロード６０５をリースし得ることに留意すべきである。さらに、幾つかの実施形態では、ＨＯＣ６６０は、ビークル６１０のペイロード６０５（例えば、操縦アンテナ）を所有し、ビークル６１０に暗号化ホステッド指令を送信するように、ホストＳＯＣ６５０と契約する場合があることに留意すべきである。
【０１１７】
動作中、ＨＯＣ６６０は、第２のＣＯＭＳＥＣ種を利用することにより、非暗号化ホステッド指令（すなわち、非暗号化ＨｏＰ  ＣＭＤ）を暗号化して、暗号化ホステッド指令（すなわち、暗号化ＨｏＰ  ＣＭＤ）を生成する。ホステッド指令は、ＨＯＣ６６０がホストＳＯＣ６５０からリースするペイロード６０５の部分（例えば、１つ又は複数の仮想トランスポンダ）を構成するように使用される指令である。ホストＳＯＣ６５０は、第１のＣＯＭＳＥＣ種を利用することにより、非暗号化ホスト指令（すなわち、非暗号化ホストＣＭＤ）を暗号化して、暗号化ホスト指令（すなわち、暗号化ホストＣＭＤ）を生成する。ホスト指令は、ホストＳＯＣ６５０が自身のために利用するペイロード６０５の部分（例えば、１つ又は複数のトランスポンダ）を構成するように使用される指令である。
【０１１８】
図６Ａでは、ホストＳＯＣ６５０の地上アンテナがそのオペレーションビルディングの直ぐ隣にあるように示されているが、他の実施形態では、ホストＳＯＣ６５０の地上アンテナがそのオペレーションビルディングからかなり離れて位置する場合がある（例えば、地上アンテナは、オペレーションビルディングが位置する国とは異なる国に位置する場合がある）ことに留意すべきである。
【０１１９】
また、第１のＣＯＭＳＥＣ種は、少なくとも１つの暗号化キー及び／又は少なくとも１つのアルゴリズム（例えば、タイプ１の暗号化アルゴリズム又はタイプ２の暗号化アルゴリズム）を含み得ることに留意するべきである。さらに、第２のＣＯＭＳＥＣ種は、少なくとも１つの暗号化キー及び／又は少なくとも１つの暗号化アルゴリズム（例えば、タイプ１の暗号化アルゴリズム又はタイプ２の暗号化アルゴリズム）を含み得ることに留意するべきである。
【０１２０】
ＨＯＣ６６０は、次いで、暗号化ホステッド指令をホストＳＯＣ６５０に送信する（６１５）。ホストＳＯＣ６５０が暗号化ホステッド指令を受信した後、ホストＳＯＣ６５０は、暗号化ホスト指令をビークル６１０に送信し（６２０）、また、暗号化ホステッド指令をビークル６１０に送信する（６２５）。ホストＳＯＣ６５０は、バンド外周波数帯域（すなわち、ペイロードデータの送信に用いられる周波数帯域とは異なる１つ又は複数の周波数帯域）を用いて、暗号化ホスト指令及び暗号化ホステッド指令を送信する（６２０、６２５）。ビークル６１０上のホスト指令受信器６３５は、暗号化ホスト指令を受信する。加えて、ビークル６１０上のホステッド指令受信器６４５は、暗号化ホステッド指令を受信する。
【０１２１】
他の実施形態では、バンド内テレメトリを用いる仮想トランスポンダのための開示されたシステムは、図６Ａで示されているよりも多い又は少ない受信器６３５、６４５を利用しうることに留意するべきである。
【０１２２】
ホスト指令受信器６３５は、次いで、暗号化ホスト指令を第１の通信セキュリティモジュール６６２に送信する（６５２）。第１の通信セキュリティモジュール６６２は、第１のＣＯＭＳＥＣ種（すなわち、ＣＯＭＳＥＣ種１）を用いて、暗号化ホスト指令を復号して、非暗号化ホスト指令を生成する。
【０１２３】
第１の通信セキュリティモジュール６６２が１つ又は複数のモジュールを含み得ることに留意するべきである。さらに、第１の通信セキュリティモジュール６６２は、１つ又は複数のプロセッサを含み得る。
【０１２４】
ホステッド指令受信器６４５は、次いで、暗号化ホステッド指令を第２の通信セキュリティモジュール６６５に送信する（６５５）。第２の通信セキュリティモジュール６６５は、第２のＣＯＭＳＥＣ種（すなわち、ＣＯＭＳＥＣ種２）を用いて、暗号化ホステッド指令を復号して、非暗号化ホステッド指令を生成する。
【０１２５】
第２の通信セキュリティモジュール６６５が１つ又は複数のモジュールを含み得ることに留意するべきである。さらに、第２の通信セキュリティモジュール６６５は、１つ又は複数のプロセッサを含み得る。
【０１２６】
第１の通信セキュリティモジュール６６２は、次いで、非暗号化ホスト指令をペイロード（すなわち、共有のホスト／ホステッドペイロード）６０５に送信する（６７０）。第２の通信セキュリティモジュール６６５は、非暗号化ホステッド指令をペイロード（すなわち、共有のホスト／ホステッドペイロード）６０５に送信する（６７５）。ペイロード６０５は、非暗号化ホスト指令及び／又は非暗号化ホステッド指令に従って再構成される。ペイロードアンテナ６８０は、次いで、（例えば、１つ又は複数のアンテナビーム６８１内で）ペイロードデータを地上のホスト受信アンテナ６８５及び／又はホステッド受信アンテナ６９０に送信する。幾つかの実施形態では、ホステッド受信アンテナ６９０は、図２６Ａで示されているように、航空ベース、海上ベース、又は地上ベースであってもよいことに留意するべきである。
【０１２７】
さらに、図６Ａでは、アンテナビーム６８１は、複数の円形スポットビームを含むように示されているが、他の実施形態では、アンテナビーム６８１は、図６Ａで示されているビームよりも多い数又は少ない数のビームを含み得（例えば、アンテナビーム６８１は、単一のビームのみを含み得る）、アンテナビーム６８１は、図６Ａに示す円形スポットビームとは異なる形状のビームを含み得る（例えば、アンテナビーム６８１は、楕円形ビーム及び／又は様々な異なる形状の成形されたビームを含み得る）。
【０１２８】
１つ又は複数の実施形態では、ペイロードアンテナ６８０は、限定しないが、パラボラリフレクタ及び／又は成形されたリフレクタを含む１つ又は複数のリフレクタディッシュを含み得ることに留意するべきである。幾つかの実施形態では、ペイロードアンテナ６８０は、１つ又は複数のマルチフィードアンテナアレイを含み得る。
【０１２９】
ペイロード６０５は、非暗号化ホストテレメトリ（すなわち、ホストＳＯＣ６５０によって利用されるペイロード６０５の部分に関連するテレメトリデータである、非暗号化ホストＴＬＭ）を第１の通信セキュリティモジュール６６２に送信する（６９１）。第１の通信セキュリティモジュール６６２は、次いで、第１のＣＯＭＳＥＣ種を用いて、非暗号化ホストテレメトリを暗号化して、暗号化ホストテレメトリ（すなわち、暗号化ホストＴＬＭ）を生成する。
【０１３０】
ペイロード６０５は、非暗号化ホステッドテレメトリ（すなわち、ＨＯＣ６６０によってリースされるペイロード６０５の部分に関連するテレメトリデータである、非暗号化ＨｏＰ  ＴＬＭ）を第２の通信セキュリティモジュール６６５に送信する（６９２）。第２の通信セキュリティモジュール６６５は、次いで、第２のＣＯＭＳＥＣ種を用いて、非暗号化ホステッドテレメトリを暗号化して、暗号化ホステッドテレメトリ（すなわち、暗号化ＨｏＰ  ＴＬＭ）を生成する。
【０１３１】
第１の通信セキュリティモジュール６６２は、次いで、暗号化ホストテレメトリをペイロード６０５に送信する（６９３）。ペイロードアンテナ６８０は、次いで、暗号化ホストテレメトリをホスト受信アンテナ６８５に送信する（６９７）。ペイロードアンテナ６８０は、バンド内周波数帯域（すなわち、ペイロードデータの送信に用いられる少なくとも１つの周波数帯域と同じ少なくとも１つの周波数帯域）を用いて、暗号化ホストテレメトリを送信する（６９７）。ホスト受信アンテナ６８５は、次いで、暗号化ホストテレメトリをホストＳＯＣ６５０に送信する（６９８）。ホストＳＯＣ６５０は、次いで、第１のＣＯＭＳＥＣ種を用いて、暗号化ホストテレメトリを復号して、非暗号化ホストテレメトリを生成する。
【０１３２】
第２の通信セキュリティモジュール６６５は、次いで、暗号化ホステッドテレメトリをペイロード６０５に送信する（６９６）。ペイロードアンテナ６８０は、次いで、暗号化ホステッドテレメトリをホステッド受信アンテナ６９０に送信する（６９６）。ペイロードアンテナ６８０は、バンド内周波数帯域（すなわち、ペイロードデータの送信に用いられる少なくとも１つの周波数帯域と同じ少なくとも１つの周波数帯域）を用いて、暗号化ホステッドテレメトリを送信する（６９６）。ホステッド受信アンテナ６９０は、次いで、暗号化ホステッドテレメトリをＨＯＣ６６０に送信する（６９９）。ＨＯＣ６６０は、次いで、第２のＣＯＭＳＥＣ種を用いて、暗号化ホステッドテレメトリを復号して、非暗号化ホステッドテレメトリを生成する。
【０１３３】
図６Ｂは、本開示の少なくとも１つの実施形態に係る、ホスト受信アンテナ６０８５に送信される、ホストユーザ（すなわち、ホストＳＯＣ）６０５０及びホステッドユーザ（すなわち、ＨＯＣ）６０６０のためのバンド内テレメトリを用いる仮想トランスポンダのための開示されたシステムを示す図６０００である。この図では、ビークル６０１０、ホストＳＯＣ６０５０、及びＨＯＣ６０６０を示す。ＨＯＣ６０６０は、衛星６０５０の所有者（すなわち、ホストＳＯＣ）から、ビークル６０１０のペイロード６００５の少なくとも一部分（例えば、１つ又は複数の仮想トランスポンダ）をリースした。幾つかの実施形態では、ＨＯＣ６０６０は、衛星６０５０の所有者（すなわち、ホストＳＯＣ）から、ビークル６０１０のすべてのペイロード６００５をリースし得ることに留意すべきである。さらに、幾つかの実施形態では、ＨＯＣ６０６０は、ビークル６０１０のペイロード６００５（例えば、操縦アンテナ）を所有し、ビークル６０１０に暗号化ホステッド指令を送信するように、ホストＳＯＣ６０５０と契約する場合があることに留意すべきである。
【０１３４】
動作中、ＨＯＣ６０６０は、第２のＣＯＭＳＥＣ種を利用することにより、非暗号化ホステッド指令（すなわち、非暗号化ＨｏＰ  ＣＭＤ）を暗号化して、暗号化ホステッド指令（すなわち、暗号化ＨｏＰ  ＣＭＤ）を生成する。ホステッド指令は、ＨＯＣ６０６０がホストＳＯＣ６０５０からリースするペイロード６００５の部分（例えば、１つ又は複数の仮想トランスポンダ）を構成するように使用される指令である。ホストＳＯＣ６０５０は、第１のＣＯＭＳＥＣ種を利用することにより、非暗号化ホスト指令（すなわち、非暗号化ホストＣＭＤ）を暗号化して、暗号化ホスト指令（すなわち、暗号化ホストＣＭＤ）を生成する。ホスト指令は、ホストＳＯＣ６０５０が自身のために利用するペイロード６００５の部分（例えば、１つ又は複数のトランスポンダ）を構成するように使用される指令である。
【０１３５】
図６Ｂでは、ホストＳＯＣ６０５０の地上アンテナがそのオペレーションビルディングの直ぐ隣にあるように示されているが、他の実施形態では、ホストＳＯＣ６０５０の地上アンテナがそのオペレーションビルディングからかなり離れて位置する場合がある（例えば、地上アンテナは、オペレーションビルディングが位置する国とは異なる国に位置する場合がある）ことに留意すべきである。
【０１３６】
また、第１のＣＯＭＳＥＣ種は、少なくとも１つの暗号化キー及び／又は少なくとも１つのアルゴリズム（例えば、タイプ１の暗号化アルゴリズム又はタイプ２の暗号化アルゴリズム）を含み得ることに留意するべきである。さらに、第２のＣＯＭＳＥＣ種は、少なくとも１つの暗号化キー及び／又は少なくとも１つの暗号化アルゴリズム（例えば、タイプ１の暗号化アルゴリズム又はタイプ２の暗号化アルゴリズム）を含み得ることに留意するべきである。
【０１３７】
ＨＯＣ６０６０は、次いで、暗号化ホステッド指令をホストＳＯＣ６０５０に送信する（６０１５）。ホストＳＯＣ６０５０が暗号化ホステッド指令を受信した後、ホストＳＯＣ６０５０は、暗号化ホスト指令をビークル６０１０に送信し（６０２０）、また、暗号化ホステッド指令をビークル６０１０に送信する（６０２５）。ホストＳＯＣ６０５０は、バンド外周波数帯域（すなわち、ペイロードデータの送信に用いられる周波数帯域とは異なる１つ又は複数の周波数帯域）を用いて、暗号化ホスト指令及び暗号化ホステッド指令を送信する（６０２０、６０２５）。ビークル６０１０上のホスト指令受信器６０３５は、暗号化ホスト指令を受信する。加えて、ビークル６０１０上のホステッド指令受信器６０４５は、暗号化ホステッド指令を受信する。
【０１３８】
他の実施形態では、バンド内テレメトリを用いる仮想トランスポンダのための開示されたシステムは、図６Ｂで示されているよりも多い又は少ない受信器６０３５、６０４５を利用しうることに留意するべきである。
【０１３９】
ホスト指令受信器６０３５は、次いで、暗号化ホスト指令を第１の通信セキュリティモジュール６０６２に送信する（６０５２）。第１の通信セキュリティモジュール６０６２は、第１のＣＯＭＳＥＣ種（すなわち、ＣＯＭＳＥＣ種１）を用いて、暗号化ホスト指令を復号して、非暗号化ホスト指令を生成する。
【０１４０】
第１の通信セキュリティモジュール６０６２が１つ又は複数のモジュールを含み得ることに留意するべきである。さらに、第１の通信セキュリティモジュール６０６２は、１つ又は複数のプロセッサを含み得る。
【０１４１】
ホステッド指令受信器６０４５は、次いで、暗号化ホステッド指令を第２の通信セキュリティモジュール６０６５に送信する（６０５５）。第２の通信セキュリティモジュール６０６５は、第２のＣＯＭＳＥＣ種（すなわち、ＣＯＭＳＥＣ種２）を用いて、暗号化ホステッド指令を復号して、非暗号化ホステッド指令を生成する。
【０１４２】
第２の通信セキュリティモジュール６０６５が１つ又は複数のモジュールを含み得ることに留意するべきである。さらに、第２の通信セキュリティモジュール６０６５は、１つ又は複数のプロセッサを含み得る。
【０１４３】
第１の通信セキュリティモジュール６０６２は、次いで、非暗号化ホスト指令をペイロード（すなわち、共有のホスト／ホステッドペイロード）６００５に送信する（６０７０）。第２の通信セキュリティモジュール６０６５は、非暗号化ホステッド指令をペイロード（すなわち、共有のホスト／ホステッドペイロード）６００５に送信する（６０７５）。ペイロード６００５は、非暗号化ホスト指令及び／又は非暗号化ホステッド指令に従って再構成される。ペイロードアンテナ６０８０は、次いで、（例えば、１つ又は複数のアンテナビーム６０８１内で）ペイロードデータを地上のホスト受信アンテナ６０８５及び／又はホステッド受信アンテナ６０９０に送信する。幾つかの実施形態では、ホステッド受信アンテナ６０９０は、図６Ｂで示されているように、航空ベース、海上ベース、又は地上ベースであってもよいことに留意するべきである。
【０１４４】
さらに、図６Ｂでは、アンテナビーム６０８１は、複数の円形スポットビームを含むように示されているが、他の実施形態では、アンテナビーム６０８１は、図６Ｂで示されているビームよりも多い数又は少ない数のビームを含み得（例えば、アンテナビーム６０８１は、単一のビームのみを含み得る）、アンテナビーム６０８１は、図６Ｂに示す円形スポットビームとは異なる形状のビームを含み得る（例えば、アンテナビーム６０８１は、楕円形ビーム及び／又は様々な異なる形状の成形されたビームを含み得る）。
【０１４５】
１つ又は複数の実施形態では、ペイロードアンテナ６０８０は、限定しないが、パラボラリフレクタ及び／又は成形されたリフレクタを含む１つ又は複数のリフレクタディッシュを含み得ることに留意するべきである。幾つかの実施形態では、ペイロードアンテナ６８０は、１つ又は複数のマルチフィードアンテナアレイを含み得る。
【０１４６】
ペイロード６００５は、非暗号化ホストテレメトリ（すなわち、ホストＳＯＣ６０５０によって利用されるペイロード６００５の部分に関連するテレメトリデータである、非暗号化ホストＴＬＭ）を第１の通信セキュリティモジュール６０６２に送信する（６０９１）。第１の通信セキュリティモジュール６０６２は、次いで、第１のＣＯＭＳＥＣ種を用いて、非暗号化ホストテレメトリを暗号化して、暗号化ホストテレメトリ（すなわち、暗号化ホストＴＬＭ）を生成する。
【０１４７】
ペイロード６００５は、非暗号化ホステッドテレメトリ（すなわち、ＨＯＣ６０６０によってリースされるペイロード６００５の部分に関連するテレメトリデータである、非暗号化ＨｏＰ  ＴＬＭ）を第２の通信セキュリティモジュール６０６５に送信する（６０９２）。第２の通信セキュリティモジュール６０６５は、次いで、第２のＣＯＭＳＥＣ種を用いて、非暗号化ホステッドテレメトリを暗号化して、暗号化ホステッドテレメトリ（すなわち、暗号化ＨｏＰ  ＴＬＭ）を生成する。
【０１４８】
第１の通信セキュリティモジュール６０６２は、次いで、暗号化ホストテレメトリをペイロード６００５に送信する（６０９３）。ペイロードアンテナ６０８０は、次いで、暗号化ホストテレメトリをホスト受信アンテナ６０８５に送信する（６０９７）。ペイロードアンテナ６０８０は、バンド内周波数帯域（すなわち、ペイロードデータの送信に用いられる少なくとも１つの周波数帯域と同じ少なくとも１つの周波数帯域）を用いて、暗号化ホストテレメトリを送信する（６０９７）。ホスト受信アンテナ６０８５は、次いで、暗号化ホストテレメトリをホストＳＯＣ６０５０に送信する（６０９８）。ホストＳＯＣ６０５０は、次いで、第１のＣＯＭＳＥＣ種を用いて、暗号化ホストテレメトリを復号して、非暗号化ホストテレメトリを生成する。
【０１４９】
第２の通信セキュリティモジュール６０６５は、次いで、暗号化ホステッドテレメトリをペイロード６００５に送信する（６０９６）。ペイロードアンテナ６０８０は、次いで、暗号化ホステッドテレメトリをホスト受信アンテナ６０８５に送信する（６０９６）。ペイロードアンテナ６０８０は、バンド内周波数帯域（すなわち、ペイロードデータの送信に用いられる少なくとも１つの周波数帯域と同じ少なくとも１つの周波数帯域）を用いて、暗号化ホステッドテレメトリを送信する（６０９６）。ホスト受信アンテナ６０８５は、次いで、暗号化ホステッドテレメトリをホストＳＯＣ６０５０に送信する（６０９９）。ホストＳＯＣ６０５０は、次いで、暗号化ホステッドテレメトリをＨＯＣ６０６０に送信する（６０９０）。ＨＯＣ６０６０は、次いで、第２のＣＯＭＳＥＣ種を用いて、暗号化ホステッドテレメトリを復号して、非暗号化ホステッドテレメトリを生成する。
【０１５０】
図７Ａ、７Ｂ、７Ｃ、及び７Ｄは、本開示の少なくとも１つの実施形態に係る、ホスト受信アンテナ及びホステッド受信アンテナに送信される、ホストユーザ及びホステッドユーザのためのバンド内テレメリを用いる仮想トランスポンダのための開示された方法のフロー図を共に示す。当該方法の開始７００では、ホステッドペイロード（ＨｏＰ）オペレーションセンター（ＨＯＣ）は、第２のＣＯＭＳＥＣ種を用いることにより、非暗号化ホステッド指令を暗号化し、暗号化ホステッド指令を生成する（７０５）。次いで、ＨＯＣは、暗号化ホステッド指令をホスト宇宙船オペレーションセンター（ＳＯＣ）に送信する（７１０）。ホストＳＯＣは、第１のＣＯＭＳＥＣ種を用いることにより、非暗号化ホスト指令を暗号化し、暗号化ホスト指令を生成する（７１５）。次いで、ホストＳＯＣは、暗号化ホスト指令及び暗号化ホステッド指令をビークルに（バンド外で）送信する（７２０）。
【０１５１】
次いで、ビークル上のホスト指令受信器は、暗号化ホスト指令を受信する（７２５）。また、ビークル上のホステッド指令受信器は、暗号化ホステッド指令を受信する（７３０）。ホスト指令受信器は、暗号化ホスト指令を第１の通信セキュリティモジュールに送信する（７３５）。ホステッド指令受信器は、暗号化ホステッド指令を第２の通信セキュリティモジュールに送信する（７４０）。第１の通信セキュリティモジュールは、次いで、第１のＣＯＭＳＥＣ種を用いて、暗号化ホスト指令を復号し、非暗号化ホスト指令を生成する（７４５）。第２の通信セキュリティモジュールは、次いで、第２のＣＯＭＳＥＣ種を用いて、暗号化ホステッド指令を復号し、非暗号化ホステッド指令を生成する（７５０）。
【０１５２】
第１の通信セキュリティモジュールは、次いで、非暗号化ホスト指令をペイロードに送信する（７５５）。第２の通信セキュリティモジュールは、次いで、非暗号化ホステッド指令をペイロードに送信する（７６０）。次いで、ペイロードは、非暗号化ホスト指令及び／又は非暗号化ホステッド指令に従って再構成される（７６５）。ビークル上のペイロードアンテナは、次いで、ペイロードデータをホスト受信アンテナ及び／又はホステッド受信アンテナに送信する（７７０）。
【０１５３】
次いで、ペイロードは、第１の通信セキュリティモジュールに非暗号化ホストテレメトリを送信する（７７５）。また、ペイロードは、第２の通信セキュリティモジュールに非暗号化ホステッドテレメトリを送信する（７８０）。第１の通信セキュリティモジュールは、第１のＣＯＭＳＥＣ種を用いて、非暗号化ホストテレメトリを暗号化し、暗号化ホストテレメトリを生成する（７８５）。また、第２の通信セキュリティモジュールは、第２のＣＯＭＳＥＣ種を用いて、非暗号化ホステッドテレメトリを暗号化し、暗号化ホステッドテレメトリを生成する（７９０）。
【０１５４】
次いで、第１の通信セキュリティモジュールは、暗号化ホストテレメトリをペイロードに送信する（７９１）。ペイロードアンテナは、次いで、暗号化ホストテレメトリをホスト受信アンテナに送信する（７９２）。次いで、ホスト受信アンテナは、暗号化ホストテレメトリをホストＳＯＣに送信する（７９３）。ホストＳＯＣは、次いで、第１のＣＯＭＳＥＣ種を用いて、暗号化ホストテレメトリを復号して、非暗号化ホストテレメトリを生成する（７９４）。
【０１５５】
第２の通信セキュリティモジュールは、暗号化ホステッドテレメトリをペイロードに送信する（７９５）。ペイロードアンテナは、次いで、暗号化ホステッドテレメトリをホスト受信アンテナに送信する（７９６）。ホステッド受信アンテナは、次いで、暗号化ホステッドテレメトリをＨＯＣに送信する（７９７）。次いで、ＨＯＣは、第２のＣＯＭＳＥＣ種を用いて、暗号化ホステッドテレメトリを復号し、非暗号化ホステッドテレメトリを生成する（７９８）。次いで、方法は終了する（７９９）。
【０１５６】
図７Ｅ、７Ｆ、７Ｇ、及び７Ｈは、本開示の少なくとも１つの実施形態に係る、ホスト受信アンテナに送信される、ホストユーザ及びホステッドユーザのためのバンド内テレメトリを用いる仮想トランスポンダのための開示された方法のフロー図を共に示す。当該方法の開始７０００では、ホステッドペイロード（ＨｏＰ）オペレーションセンター（ＨＯＣ）は、第２のＣＯＭＳＥＣ種を用いることにより、非暗号化ホステッド指令を暗号化し、暗号化ホステッド指令を生成する（７００５）。次いで、ＨＯＣは、暗号化ホステッド指令をホスト宇宙船オペレーションセンター（ＳＯＣ）に送信する（７０１０）。ホストＳＯＣは、第１のＣＯＭＳＥＣ種を用いることにより、非暗号化ホスト指令を暗号化し、暗号化ホスト指令を生成する（７０１５）。次いで、ホストＳＯＣは、暗号化ホスト指令及び暗号化ホステッド指令をビークルに（バンド外で）送信する（７０２０）。
【０１５７】
次いで、ビークル上のホスト指令受信器は、暗号化ホスト指令を受信する（７０２５）。また、ビークル上のホステッド指令受信器は、暗号化ホステッド指令を受信する（７０３０）。ホスト指令受信器は、暗号化ホスト指令を第１の通信セキュリティモジュールに送信する（７０３５）。ホステッド指令受信器は、暗号化ホステッド指令を第２の通信セキュリティモジュールに送信する（７０４０）。第１の通信セキュリティモジュールは、次いで、第１のＣＯＭＳＥＣ種を用いて、暗号化ホスト指令を復号し、非暗号化ホスト指令を生成する（７０４５）。第２の通信セキュリティモジュールは、次いで、第２のＣＯＭＳＥＣ種を用いて、暗号化ホステッド指令を復号し、非暗号化ホステッド指令を生成する（７０５０）。
【０１５８】
第１の通信セキュリティモジュールは、次いで、非暗号化ホスト指令をペイロードに送信する（７０５５）。第２の通信セキュリティモジュールは、次いで、非暗号化ホステッド指令をペイロードに送信する（７０６０）。次いで、ペイロードは、非暗号化ホスト指令及び／又は非暗号化ホステッド指令に従って再構成される（７０６５）。ビークル上のペイロードアンテナは、次いで、ペイロードデータをホスト受信アンテナ及び／又はホステッド受信アンテナに送信する（７０７０）。
【０１５９】
次いで、ペイロードは、第１の通信セキュリティモジュールに非暗号化ホストテレメトリを送信する（７０７５）。また、ペイロードは、第２の通信セキュリティモジュールに非暗号化ホステッドテレメトリを送信する（７０８０）。第１の通信セキュリティモジュールは、第１のＣＯＭＳＥＣ種を用いて、非暗号化ホストテレメトリを暗号化し、暗号化ホストテレメトリを生成する（７０８５）。また、第２の通信セキュリティモジュールは、第２のＣＯＭＳＥＣ種を用いて、非暗号化ホステッドテレメトリを暗号化し、暗号化ホステッドテレメトリを生成する（７０９０）。
【０１６０】
次いで、第１の通信セキュリティモジュールは、暗号化ホストテレメトリをペイロードに送信する（７０９１）。ペイロードアンテナは、次いで、暗号化ホストテレメトリをホスト受信アンテナに送信する（７０９２）。次いで、ホスト受信アンテナは、暗号化ホストテレメトリをホストＳＯＣに送信する（７０９３）。ホストＳＯＣは、次いで、第１のＣＯＭＳＥＣ種を用いて、暗号化ホストテレメトリを復号して、非暗号化ホストテレメトリを生成する（７０９４）。
【０１６１】
第２の通信セキュリティモジュールは、暗号化ホステッドテレメトリをペイロードに送信する（７０９５）。ペイロードアンテナは、次いで、暗号化ホステッドテレメトリをホスト受信アンテナに送信する（７０９６）。ホスト受信アンテナは、次いで、暗号化ホステッドテレメトリをホストＳＯＣに送信する（７０９７）。ホストＳＯＣは、暗号化ホステッドテレメトリをＨＯＣに送信する（７０９８）。次いで、ＨＯＣは、第２のＣＯＭＳＥＣ種を用いて、暗号化ホステッドテレメトリを復号し、非暗号化ホステッドテレメトリを生成する（７０９９）。次いで、方法は終了する（７００１）。
【０１６２】
図８Ａは、本開示の少なくとも１つの実施形態に係る、ホスト受信アンテナ８８５及びホステッド受信アンテナ８９０に送信される、ホストユーザ（すなわち、ホストＳＯＣ）８５０及びホステッドユーザ（すなわち、ＨＯＣ）８６０のためのバンド内テレメトリを用いる仮想トランスポンダのための開示されたシステムを示す図８００である。この図では、ビークル８１０、ホストＳＯＣ８５０、及びＨＯＣ８６０を示す。ＨＯＣ８６０は、衛星８５０の所有者（すなわち、ホストＳＯＣ）から、ビークル８１０のペイロード８０５の少なくとも一部分（例えば、１つ又は複数の仮想トランスポンダ）をリースした。幾つかの実施形態では、ＨＯＣ８６０は、衛星８５０の所有者（すなわち、ホストＳＯＣ）から、ビークル８１０のすべてのペイロード８０５をリースし得ることに留意すべきである。さらに、幾つかの実施形態では、ＨＯＣ８６０は、ビークル８１０のペイロード８０５（例えば、操縦アンテナ）を所有し、ビークル８１０に暗号化ホステッド指令を送信するように、ホストＳＯＣ８５０と契約する場合があることに留意すべきである。
【０１６３】
動作中、ＨＯＣ８６０は、第２のＣＯＭＳＥＣ種を利用することにより、非暗号化ホステッド指令（すなわち、非暗号化ＨｏＰ  ＣＭＤ）を暗号化して、暗号化ホステッド指令（すなわち、暗号化ＨｏＰ  ＣＭＤ）を生成する。ホステッド指令は、ＨＯＣ８６０がホストＳＯＣ８５０からリースするペイロード８０５の部分（例えば、１つ又は複数の仮想トランスポンダ）を構成するように使用される指令である。ホストＳＯＣ８５０は、第１のＣＯＭＳＥＣ種を利用することにより、非暗号化ホスト指令（すなわち、非暗号化ホストＣＭＤ）を暗号化して、暗号化ホスト指令（すなわち、暗号化ホストＣＭＤ）を生成する。ホスト指令は、ホストＳＯＣ８５０が自身のために利用するペイロード８０５の部分（例えば、１つ又は複数のトランスポンダ）を構成するように使用される指令である。
【０１６４】
図８Ａでは、ホストＳＯＣ８５０の地上アンテナがそのオペレーションビルディングの直ぐ隣にあるように示されているが、他の実施形態では、ホストＳＯＣ８５０の地上アンテナがそのオペレーションビルディングからかなり離れて位置する場合がある（例えば、地上アンテナは、オペレーションビルディングが位置する国とは異なる国に位置する場合がある）ことに留意すべきである。
【０１６５】
また、第１のＣＯＭＳＥＣ種は、少なくとも１つの暗号化キー及び／又は少なくとも１つのアルゴリズム（例えば、タイプ１の暗号化アルゴリズム又はタイプ２の暗号化アルゴリズム）を含み得ることに留意するべきである。さらに、第２のＣＯＭＳＥＣ種は、少なくとも１つの暗号化キー及び／又は少なくとも１つの暗号化アルゴリズム（例えば、タイプ１の暗号化アルゴリズム又はタイプ２の暗号化アルゴリズム）を含み得ることに留意するべきである。
【０１６６】
ＨＯＣ８６０は、次いで、暗号化ホステッド指令をホストＳＯＣ８５０に送信する（８１５）。ホストＳＯＣ８５０が暗号化ホステッド指令を受信した後、ホストＳＯＣ８５０は、暗号化ホスト指令をビークル８１０に送信し（８２０）、また、暗号化ホステッド指令をビークル８１０に送信する（８２５）。ホストＳＯＣ８５０は、バンド外周波数帯域（すなわち、ペイロードデータの送信に用いられる周波数帯域とは異なる１つ又は複数の周波数帯域）を用いて、暗号化ホスト指令及び暗号化ホステッド指令を送信する（８２０、８２５）。ビークル８１０上のホスト指令受信器８３５は、暗号化ホスト指令を受信する。加えて、ビークル８１０上のホステッド指令受信器８４５は、暗号化ホステッド指令を受信する。
【０１６７】
他の実施形態では、バンド内テレメトリを用いる仮想トランスポンダのための開示されたシステムは、図８Ａで示されているよりも多い又は少ない受信器８３５、８４５を利用しうることに留意するべきである。
【０１６８】
ホスト指令受信器８３５は、次いで、暗号化ホスト指令を第１の通信セキュリティモジュール８６２に送信する（８５２）。第１の通信セキュリティモジュール８６２は、第１のＣＯＭＳＥＣ種（すなわち、ＣＯＭＳＥＣ種１）を用いて、暗号化ホスト指令を復号して、非暗号化ホスト指令を生成する。
【０１６９】
第１の通信セキュリティモジュール８６２が１つ又は複数のモジュールを含み得ることに留意するべきである。さらに、第１の通信セキュリティモジュール８６２は、１つ又は複数のプロセッサを含み得る。
【０１７０】
ホステッド指令受信器８４５は、次いで、暗号化ホステッド指令を第２の通信セキュリティモジュール８６５に送信する（８５５）。第２の通信セキュリティモジュール８６５は、第２のＣＯＭＳＥＣ種（すなわち、ＣＯＭＳＥＣ種２）を用いて、暗号化ホステッド指令を復号して、非暗号化ホステッド指令を生成する。
【０１７１】
第２の通信セキュリティモジュール８６５が１つ又は複数のモジュールを含み得ることに留意するべきである。さらに、第２の通信セキュリティモジュール８６５は、１つ又は複数のプロセッサを含み得る。
【０１７２】
第１の通信セキュリティモジュール８６２は、次いで、非暗号化ホスト指令をペイロード（すなわち、共有のホスト／ホステッドペイロード）８０５に送信する（８７０）。第２の通信セキュリティモジュール８６５は、非暗号化ホステッド指令をペイロード（すなわち、共有のホスト／ホステッドペイロード）８０５に送信する（８７５）。ペイロード８０５は、非暗号化ホスト指令及び／又は非暗号化ホステッド指令に従って再構成される。ペイロードアンテナ８８０は、次いで、（例えば、１つ又は複数のアンテナビーム８８１内で）ペイロードデータを地上のホスト受信アンテナ８８５及び／又はホステッド受信アンテナ８９０に送信する。幾つかの実施形態では、ホステッド受信アンテナ８９０は、図８Ａで示されているように、航空ベース、海上ベース、又は地上ベースであってもよいことに留意するべきである。
【０１７３】
図８Ａでは、アンテナビーム８８１は、複数の円形スポットビームを含むように示されているが、他の実施形態では、アンテナビーム８８１は、図８Ａで示されているビームよりも多い数又は少ない数のビームを含み得（例えば、アンテナビーム８８１は、単一のビームのみを含み得る）、アンテナビーム８８１は、図８Ａに示す円形スポットビームとは異なる形状のビームを含み得る（例えば、アンテナビーム８８１は、楕円形ビーム及び／又は様々な異なる形状の成形されたビームを含み得る）。
【０１７４】
１つ又は複数の実施形態では、ペイロードアンテナ８８０は、限定しないが、パラボラリフレクタ及び／又は成形されたリフレクタを含む１つ又は複数のリフレクタディッシュを含み得ることに留意するべきである。幾つかの実施形態では、ペイロードアンテナ８８０は、１つ又は複数のマルチフィードアンテナアレイを含み得る。
【０１７５】
ペイロード８０５は、非暗号化テレメトリを第１の通信セキュリティモジュール８６２に送信する（８９１）。非暗号化テレメトリは、非暗号化ホストテレメトリ（すなわち、ホストＳＯＣ８５０によって利用されるペイロード８０５の部分に関連するテレメトリデータである、非暗号化ホストＴＬＭ）及び非暗号化ホステッドテレメトリ（すなわち、ＨＯＣ８６０によってリースされるペイロード８０５の部分に関連するテレメトリデータである、非暗号化ＨｏＰ  ＴＬＭ）を含む。第１の通信セキュリティモジュール８６２は、次いで、第１のＣＯＭＳＥＣ種を用いて、非暗号化テレメトリを暗号化して、暗号化テレメトリ（すなわち、暗号化ＴＬＭ）を生成する。
【０１７６】
第１の通信セキュリティモジュール８６２は、次いで、暗号化テレメトリをペイロード８０５に送信する（８９３）。ペイロードアンテナ８８０は、次いで、暗号化テレメトリをホスト受信アンテナ８８５に送信する（８９７）。ペイロードアンテナ８８０は、バンド内周波数帯域（すなわち、ペイロードデータの送信に用いられる少なくとも１つの周波数帯域と同じ少なくとも１つの周波数帯域）を用いて、暗号化テレメトリを送信する（８９７）。ホスト受信アンテナ８８５は、次いで、暗号化テレメトリをホストＳＯＣ８５０に送信する（８９８）。ホストＳＯＣ８５０は、次いで、第１のＣＯＭＳＥＣ種を用いて、暗号化テレメトリを復号して、非暗号化テレメトリを生成する。ホストＳＯＣ８５０は、次いで、ホストペイロードの逆変換された情報（ｄｅｃｏｍｍｕｔａｔｅｄ  ｉｎｆｏｒｍａｔｉｏｎ）を含み且つホステッドペイロードの逆変換された情報を含まないデータベース（すなわち、ホステッドペイロードの逆変換された情報のないデータベース）を利用して非暗号化テレメトリを読み込み、ホストＳＯＣ８５０によって用いられるペイロード８０５の部分に関連するテレメトリデータを判断する。
【０１７７】
ペイロードアンテナ８８０は、暗号化テレメトリをホステッド受信アンテナ８９０に送信する（８９６）。ペイロードアンテナ８８０は、バンド内周波数帯域（すなわち、ペイロードデータの送信に用いられる少なくとも１つの周波数帯域と同じ少なくとも１つの周波数帯域）を用いて、暗号化テレメトリを送信する（８９６）。ホステッド受信アンテナ８９０は、次いで、暗号化テレメトリをＨＯＣ８６０に送信する（８９９）。ＨＯＣ８６０は、次いで、第１のＣＯＭＳＥＣ種を用いて、暗号化テレメトリを復号して、非暗号化テレメトリを生成する。ＨＯＣ８６０は、次いで、ホステッドペイロードの逆変換された情報を含み且つホストペイロードの逆変換された情報を含まないデータベース（すなわち、ホストペイロードの逆変換された情報のないデータベース）を利用して非暗号化テレメトリを読み込み、ＨＯＣ８６０によって用いられるペイロード８０５の部分に関連するテレメトリデータを判断する。
【０１７８】
図８Ｂは、本開示の少なくとも１つの実施形態に係る、ホスト受信アンテナ８０８５に送信される、ホストユーザ（すなわち、ホストＳＯＣ）８０５０及びホステッドユーザ（すなわち、ＨＯＣ）８０６０のためのバンド内テレメトリを用いる仮想トランスポンダのための開示されたシステムを示す図８０００であって、テレメトリは１つの通信セキュリティ（ＣＯＭＳＥＣ）種を用いて暗号化される。この図では、ビークル８０１０、ホストＳＯＣ８０５０、及びＨＯＣ８０６０を示す。ＨＯＣ８６０は、衛星８０５０の所有者（すなわち、ホストＳＯＣ）から、ビークル８０１０のペイロード８００５の少なくとも一部分（例えば、１つ又は複数の仮想トランスポンダ）をリースした。幾つかの実施形態では、ＨＯＣ８０６０は、衛星８０５０の所有者（すなわち、ホストＳＯＣ）から、ビークル８０１０のすべてのペイロード８００５をリースし得ることに留意すべきである。さらに、幾つかの実施形態では、ＨＯＣ８０６０は、ビークル８０１０のペイロード８００５（例えば、操縦アンテナ）を所有し、ビークル８０１０に暗号化ホステッド指令を送信するように、ホストＳＯＣ８０５０と契約する場合があることに留意すべきである。
【０１７９】
動作中、ＨＯＣ８０６０は、第２のＣＯＭＳＥＣ種を利用することにより、非暗号化ホステッド指令（すなわち、非暗号化ＨｏＰ  ＣＭＤ）を暗号化して、暗号化ホステッド指令（すなわち、暗号化ＨｏＰ  ＣＭＤ）を生成する。ホステッド指令は、ＨＯＣ８０６０がホストＳＯＣ８０５０からリースするペイロード８００５の部分（例えば、１つ又は複数の仮想トランスポンダ）を構成するように使用される指令である。ホストＳＯＣ８０５０は、第１のＣＯＭＳＥＣ種を利用することにより、非暗号化ホスト指令（すなわち、非暗号化ホストＣＭＤ）を暗号化して、暗号化ホスト指令（すなわち、暗号化ホストＣＭＤ）を生成する。ホスト指令は、ホストＳＯＣ８０５０が自身のために利用するペイロード８００５の部分（例えば、１つ又は複数のトランスポンダ）を構成するように使用される指令である。
【０１８０】
図８Ｂでは、ホストＳＯＣ８０５０の地上アンテナがそのオペレーションビルディングの直ぐ隣にあるように示されているが、他の実施形態では、ホストＳＯＣ８０５０の地上アンテナがそのオペレーションビルディングからかなり離れて位置する場合がある（例えば、地上アンテナは、オペレーションビルディングが位置する国とは異なる国に位置する場合がある）ことに留意すべきである。
【０１８１】
また、第１のＣＯＭＳＥＣ種は、少なくとも１つの暗号化キー及び／又は少なくとも１つのアルゴリズム（例えば、タイプ１の暗号化アルゴリズム又はタイプ２の暗号化アルゴリズム）を含み得ることに留意するべきである。さらに、第２のＣＯＭＳＥＣ種は、少なくとも１つの暗号化キー及び／又は少なくとも１つの暗号化アルゴリズム（例えば、タイプ１の暗号化アルゴリズム又はタイプ２の暗号化アルゴリズム）を含み得ることに留意するべきである。
【０１８２】
ＨＯＣ８０６０は、次いで、暗号化ホステッド指令をホストＳＯＣ８０５０に送信する（８０１５）。ホストＳＯＣ８０５０が暗号化ホステッド指令を受信した後、ホストＳＯＣ８０５０は、暗号化ホスト指令をビークル８０１０に送信し（８０２０）、また、暗号化ホステッド指令をビークル８０１０に送信する（８０２５）。ホストＳＯＣ８０５０は、バンド外周波数帯域（すなわち、ペイロードデータの送信に用いられる周波数帯域とは異なる１つ又は複数の周波数帯域）を用いて、暗号化ホスト指令及び暗号化ホステッド指令を送信する（８０２０、８０２５）。ビークル８０１０上のホスト指令受信器８０３５は、暗号化ホスト指令を受信する。加えて、ビークル８０１０上のホステッド指令受信器８０４５は、暗号化ホステッド指令を受信する。
【０１８３】
他の実施形態では、バンド内テレメトリを用いる仮想トランスポンダのための開示されたシステムは、図８Ｂで示されているよりも多い又は少ない受信器８０３５、８０４５を利用しうることに留意するべきである。
【０１８４】
ホスト指令受信器８０３５は、次いで、暗号化ホスト指令を第１の通信セキュリティモジュール８０６２に送信する（８０５２）。第１の通信セキュリティモジュール８０６２は、第１のＣＯＭＳＥＣ種（すなわち、ＣＯＭＳＥＣ種１）を用いて、暗号化ホスト指令を復号して、非暗号化ホスト指令を生成する。
【０１８５】
第１の通信セキュリティモジュール８０６２が１つ又は複数のモジュールを含み得ることに留意するべきである。さらに、第１の通信セキュリティモジュール８０６２は、１つ又は複数のプロセッサを含み得る。
【０１８６】
ホステッド指令受信器８０４５は、次いで、暗号化ホステッド指令を第２の通信セキュリティモジュール８０６５に送信する（８０５５）。第２の通信セキュリティモジュール８０６５は、第２のＣＯＭＳＥＣ種（すなわち、ＣＯＭＳＥＣ種２）を用いて、暗号化ホステッド指令を復号して、非暗号化ホステッド指令を生成する。
【０１８７】
第２の通信セキュリティモジュール８０６５が１つ又は複数のモジュールを含み得ることに留意するべきである。さらに、第２の通信セキュリティモジュール８０６５は、１つ又は複数のプロセッサを含み得る。
【０１８８】
第１の通信セキュリティモジュール８０６２は、次いで、非暗号化ホスト指令をペイロード（すなわち、共有のホスト／ホステッドペイロード）８００５に送信する（８０７０）。第２の通信セキュリティモジュール８０６５は、非暗号化ホステッド指令をペイロード（すなわち、共有のホスト／ホステッドペイロード）８００５に送信する（８０７５）。ペイロード８００５は、非暗号化ホスト指令及び／又は非暗号化ホステッド指令に従って再構成される。ペイロードアンテナ８０８０は、次いで、（例えば、１つ又は複数のアンテナビーム８０８１内で）ペイロードデータを地上のホスト受信アンテナ８０８５及び／又はホステッド受信アンテナ８０９０に送信する。幾つかの実施形態では、ホステッド受信アンテナ８０９０は、図８Ｂで示されているように、航空ベース、海上ベース、又は地上ベースであってもよいことに留意するべきである。
【０１８９】
図８Ｂでは、アンテナビーム８０８１は、複数の円形スポットビームを含むように示されているが、他の実施形態では、アンテナビーム８０８１は、図８Ｂで示されているビームよりも多い数又は少ない数のビームを含み得（例えば、アンテナビーム８０８１は、単一のビームのみを含み得る）、アンテナビーム８０８１は、図８Ｂに示す円形スポットビームとは異なる形状のビームを含み得る（例えば、アンテナビーム８０８１は、楕円形ビーム及び／又は様々な異なる形状の成形されたビームを含み得る）。
【０１９０】
１つ又は複数の実施形態では、ペイロードアンテナ８０８０は、限定しないが、パラボラリフレクタ及び／又は成形されたリフレクタを含む１つ又は複数のリフレクタディッシュを含み得ることに留意するべきである。幾つかの実施形態では、ペイロードアンテナ８０８０は、１つ又は複数のマルチフィードアンテナアレイを含み得る。
【０１９１】
ペイロード８００５は、非暗号化テレメトリを第１の通信セキュリティモジュール８０６２に送信する（８０９１）。非暗号化テレメトリは、非暗号化ホストテレメトリ（すなわち、ホストＳＯＣ８０５０によって利用されるペイロード８００５の部分に関連するテレメトリデータである、非暗号化ホストＴＬＭ）及び非暗号化ホステッドテレメトリ（すなわち、ＨＯＣ８０６０によってリースされるペイロード８００５の部分に関連するテレメトリデータである、非暗号化ＨｏＰ  ＴＬＭ）を含む。第１の通信セキュリティモジュール８０６２は、次いで、第１のＣＯＭＳＥＣ種を用いて、非暗号化テレメトリを暗号化して、暗号化テレメトリ（すなわち、暗号化ＴＬＭ）を生成する。
【０１９２】
第１の通信セキュリティモジュール８０６２は、次いで、暗号化テレメトリをペイロード８００５に送信する（８０９３）。ペイロードアンテナ８０８０は、次いで、暗号化テレメトリをホスト受信アンテナ８０８５に送信する（８０９７）。ペイロードアンテナ８０８０は、バンド内周波数帯域（すなわち、ペイロードデータの送信に用いられる少なくとも１つの周波数帯域と同じ少なくとも１つの周波数帯域）を用いて、暗号化テレメトリを送信する（８０９７）。ホスト受信アンテナ８０８５は、次いで、暗号化テレメトリをホストＳＯＣ８０５０に送信する（８０９８）。ホストＳＯＣ８０５０は、次いで、第１のＣＯＭＳＥＣ種を用いて、暗号化テレメトリを復号して、非暗号化テレメトリを生成する。ホストＳＯＣ８０５０は、次いで、ホストペイロードの逆変換された情報を含み且つホステッドペイロードの逆変換された情報を含まないデータベース（すなわち、ホステッドペイロードの逆変換された情報のないデータベース）を利用して非暗号化テレメトリを読み込み、ホストＳＯＣ８０５０によって用いられるペイロード８００５の部分に関連するテレメトリデータを判断する。
【０１９３】
ホストＳＯＣ８０５０は、次いで、暗号化テレメトリをＨＯＣ８０６０に送信する（８０９９）。ＨＯＣ８０６０は、次いで、第１のＣＯＭＳＥＣ種を用いて、暗号化テレメトリを復号して、非暗号化テレメトリを生成する。ＨＯＣ８０６０は、次いで、ホステッドペイロードの逆変換された情報を含み且つホストペイロードの逆変換された情報を含まないデータベース（すなわち、ホストペイロードの逆変換された情報のないデータベース）を利用して非暗号化テレメトリを読み込み、ＨＯＣ８０６０によって用いられるペイロード８００５の部分に関連するテレメトリデータを判断する。
【０１９４】
図９Ａ、９Ｂ、９Ｃ、及び９Ｄは、本開示の少なくとも１つの実施形態に係る、ホスト受信アンテナ及びホステッド受信アンテナに送信される、ホストユーザ及びホステッドユーザのためのバンド内テレメトリを用いる仮想トランスポンダのための開示された方法のフロー図を共に示し、テレメトリは１つのＣＯＭＳＥＣ種を用いて暗号化される。当該方法の開始９００では、ホステッドペイロード（ＨｏＰ）オペレーションセンター（ＨＯＣ）は、第２のＣＯＭＳＥＣ種を用いることにより、非暗号化ホステッド指令を暗号化し、暗号化ホステッド指令を生成する（９０５）。次いで、ＨＯＣは、暗号化ホステッド指令をホスト宇宙船オペレーションセンター（ＳＯＣ）に送信する（９１０）。ホストＳＯＣは、第１のＣＯＭＳＥＣ種を用いることにより、非暗号化ホスト指令を暗号化し、暗号化ホスト指令を生成する（９１５）。次いで、ホストＳＯＣは、暗号化ホスト指令及び暗号化ホステッド指令をビークルに（バンド外で）送信する（９２０）。
【０１９５】
次いで、ビークル上のホスト指令受信器は、暗号化ホスト指令を受信する（９２５）。また、ビークル上のホステッド指令受信器は、暗号化ホステッド指令を受信する（９３０）。ホスト指令受信器は、暗号化ホスト指令を第１の通信セキュリティモジュールに送信する（９３５）。ホステッド指令受信器は、暗号化ホステッド指令を第２の通信セキュリティモジュールに送信する（９４０）。第１の通信セキュリティモジュールは、次いで、第１のＣＯＭＳＥＣ種を用いて、暗号化ホスト指令を復号し、非暗号化ホスト指令を生成する（９４５）。第２の通信セキュリティモジュールは、次いで、第２のＣＯＭＳＥＣ種を用いて、暗号化ホステッド指令を復号し、非暗号化ホステッド指令を生成する（９５０）。
【０１９６】
第１の通信セキュリティモジュールは、次いで、非暗号化ホスト指令をペイロードに送信する（９５５）。第２の通信セキュリティモジュールは、次いで、非暗号化ホステッド指令をペイロードに送信する（９６０）。次いで、ペイロードは、非暗号化ホスト指令及び／又は非暗号化ホステッド指令に従って再構成される（９６５）。ビークル上のペイロードアンテナは、次いで、ペイロードデータをホスト受信アンテナ及び／又はホステッド受信アンテナに送信する（９７０）。
【０１９７】
次いで、ペイロードは、第１の通信セキュリティモジュールに非暗号化テレメトリを送信する（９７５）。第１の通信セキュリティモジュールは、第１のＣＯＭＳＥＣ種を用いて、非暗号化テレメトリを暗号化して、暗号化テレメトリを生成する（９８０）。
【０１９８】
次いで、第１の通信セキュリティモジュールは、暗号化テレメトリをペイロードに送信する（９８５）。ペイロードアンテナは、次いで、暗号化テレメトリをホスト受信アンテナに送信する（９９０）。次いで、ホスト受信アンテナは、暗号化テレメトリをホストＳＯＣに送信する（９９１）。ＨＯＣは、次いで、第１のＣＯＭＳＥＣ種を用いて、暗号化テレメトリを復号して、非暗号化テレメトリを生成する（９９２）。ホストＳＯＣは、次いで、暗号化テレメトリを読み込むための、ホステッド逆変換された情報のないデータベースを使用することにより、ホストＳＯＣによって用いられたペイロードの部分に関連するテレメトリデータを判断する（９９３）。
【０１９９】
ペイロードアンテナは、暗号化テレメトリをホステッド受信アンテナに送信する（９９４）。ホステッド受信アンテナは、次いで、暗号化テレメトリをＨＯＣに送信する（９９５）。次いで、ＨＯＣは、第１のＣＯＭＳＥＣ種を用いて、暗号化テレメトリを復号し、非暗号化テレメトリを生成する（９９６）。次いで、ＨＯＣは、暗号化テレメトリを読み込むための、ホストの逆変換された情報のないデータベースを利用して、ＨＯＣによって用いられたペイロードの部分に関連するテレメトリデータを判断する（９９７）。次いで、方法は終了する（９９８）。
【０２００】
図９Ｅ、９Ｆ、９Ｇ、及び９Ｈは、本開示の少なくとも１つの実施形態に係る、ホスト受信アンテナに送信される、ホストユーザ及びホステッドユーザのためのバンド内テレメトリを用いる仮想トランスポンダのための開示された方法のフロー図を共に示し、テレメトリは１つのＣＯＭＳＥＣ種を用いて暗号化される。当該方法の開始９０００では、ホステッドペイロード（ＨｏＰ）オペレーションセンター（ＨＯＣ）は、第２のＣＯＭＳＥＣ種を用いることにより、非暗号化ホステッド指令を暗号化し、暗号化ホステッド指令を生成する（９００５）。次いで、ＨＯＣは、暗号化ホステッド指令をホスト宇宙船オペレーションセンター（ＳＯＣ）に送信する（９０１０）。ホストＳＯＣは、第１のＣＯＭＳＥＣ種を用いることにより、非暗号化ホスト指令を暗号化し、暗号化ホスト指令を生成する（９０１５）。次いで、ホストＳＯＣは、暗号化ホスト指令及び暗号化ホステッド指令をビークルに（バンド外で）送信する（９０２０）。
【０２０１】
次いで、ビークル上のホスト指令受信器は、暗号化ホスト指令を受信する（９０２５）。また、ビークル上のホステッド指令受信器は、暗号化ホステッド指令を受信する（９０３０）。ホスト指令受信器は、暗号化ホスト指令を第１の通信セキュリティモジュールに送信する（９０３５）。ホステッド指令受信器は、暗号化ホステッド指令を第２の通信セキュリティモジュールに送信する（９０４０）。第１の通信セキュリティモジュールは、次いで、第１のＣＯＭＳＥＣ種を用いて、暗号化ホスト指令を復号し、非暗号化ホスト指令を生成する（９０４５）。第２の通信セキュリティモジュールは、次いで、第２のＣＯＭＳＥＣ種を用いて、暗号化ホステッド指令を復号し、非暗号化ホステッド指令を生成する（９０５０）。
【０２０２】
第１の通信セキュリティモジュールは、次いで、非暗号化ホスト指令をペイロードに送信する（９０５５）。第２の通信セキュリティモジュールは、次いで、非暗号化ホステッド指令をペイロードに送信する（９０６０）。次いで、ペイロードは、非暗号化ホスト指令及び／又は非暗号化ホステッド指令に従って再構成される（９０６５）。ビークル上のペイロードアンテナは、次いで、ペイロードデータをホスト受信アンテナ及び／又はホステッド受信アンテナに送信する（９０７０）。
【０２０３】
次いで、ペイロードは、第１の通信セキュリティモジュールに非暗号化テレメトリを送信する（９０７５）。第１の通信セキュリティモジュールは、第１のＣＯＭＳＥＣ種を用いて、非暗号化テレメトリを暗号化して、暗号化テレメトリを生成する（９０８０）。
【０２０４】
次いで、第１の通信セキュリティモジュールは、暗号化テレメトリをペイロードに送信する（９０８５）。ペイロードアンテナは、次いで、暗号化テレメトリをホスト受信アンテナに送信する（９０９０）。次いで、ホスト受信アンテナは、暗号化テレメトリをホストＳＯＣに送信する（９０９１）。ＨＯＣは、次いで、第１のＣＯＭＳＥＣ種を用いて、暗号化テレメトリを復号して、非暗号化テレメトリを生成する（９０９２）。ホストＳＯＣは、次いで、暗号化テレメトリを読み込むための、ホステッド逆変換された情報のないデータベースを使用することにより、ホストＳＯＣによって用いられたペイロードの部分に関連するテレメトリデータを判断する（９０９３）。
【０２０５】
ホストＳＯＣは、次いで、暗号化テレメトリをＨＯＣに送信する（９０９５）。次いで、ＨＯＣは、第１のＣＯＭＳＥＣ種を用いて、暗号化テレメトリを復号し、非暗号化テレメトリを生成する（９０９６）。次いで、ＨＯＣは、暗号化テレメトリを読み込むための、ホストの逆変換された情報のないデータベースを利用して、ＨＯＣによって用いられたペイロードの部分に関連するテレメトリデータを判断する（９０９７）。次いで、方法は終了する（９０９８）。
【０２０６】
図１０は、本開示の少なくとも１つの実施形態に係る、ビークル１２１０上の仮想トランスポンダのための開示されたシステムを示す図１０００である。この図では、演算装置１０１０が示されている。演算装置１０１０は、ステーション（例えば、ホストステーション又はホステッドステーション）において位置づけされ得る。演算装置１０１０が、ホストステーション（すなわち、ホストユーザ（ホストＳＯＣ）によって操作されるステーション）に位置付けされる場合、演算装置１０１０はホスト演算装置と呼ばれる。また、演算装置１０１０が、ホステッドステーション（すなわち、ホステッドユーザ（ＨＯＣ）によって操作されるステーション）に位置付けされる場合、演算装置１０１０はホステッド演算装置と呼ばれる。１つ又は複数の実施形態では、ステーションは、地上ステーション１０１５、陸上ビークル（例えば、軍用ジープ）１０２０、飛行ビークル（例えば、航空機）１０２５、又は海上ビークル（例えば、船舶）１０３０である。
【０２０７】
動作中、ユーザ（例えば、ホストユーザ又はホステッドユーザ）１００５は、演算装置１０１０（例えば、ホスト演算装置又はホステッド演算装置）の画面に表示されたグラフィカルユーザインターフェース（ＧＵＩ）（例えば、ホストＧＵＩ又はホステッドＧＵＩ）１０３５を介して、ユーザ１００５が利用するビークル１２１０上のペイロード１２８０の部分のための少なくとも１つの異なる変数のそれぞれに関するオプション（例えば、値）を選択する。図１２に示すペイロード１２８０の詳細は、演算装置１０１０の画面に表示されるＧＵＩ１０３５で示されることに留意するべきである。
【０２０８】
ユーザ１００５に表示されるＧＵＩ１０３５を用いて、ユーザ１００５が選択し得るビークル１２１０上のペイロード１２８０の種々に変数を見るためには、図１２を参照されたい。また、ユーザ１００５に表示されるＧＵＩ１０３５を用いてユーザ１００５が選択し得るペイロード１２８０のデジタルチャネライザ１２７０の種々の変数を見るためには、図１３を参照されたい。１つ又は複数の実施形態では、選択される様々な異なる変数がＧＵＩ１０３５によって提示され得る。それには、少なくとも１つのトランスポンダ出力、少なくとも１つのトランスポンダスペクトル、少なくとも１つのトランスポンダ利得設定、少なくとも１つのトランスポンダリミッタ設定、少なくとも１つのトランスポンダ自動レベル制御設定、少なくとも１つのトランスポンダ位相設定、少なくとも１つの内部利得生成、少なくとも１つのビームのための帯域幅、少なくとも１つのビームのための少なくとも１つの周波数帯域、少なくとも１つのトランスポンダビーム形成設定、少なくとも１つのビームのための実効等方放射電力（ＥＩＲＰ）、少なくとも１つのトランスポンダチャネル、及び／又は少なくとも１つのビームのためのビームステアリングが含まれるが、これらに限定されない。ユーザ１００５は、ＧＵＩ１０３５を使用して、ペイロード１２８０内の関連する変数をクリックする（例えば、ミキサーに関連する送信アンテナ１２６５の周波数帯域を変更するためにミキサー１２６５のうちの１つをクリックする）ことにより、また、値を入力するか又はドロップダウンメニューから値を選択するかのいずれかにより（例えば、関連する送信アンテナ１２５５についての所望の送信周波数帯域を入力することにより）、オプションを選択することができることに留意するべきである。図１２に示すペイロード１２８０は例示的なペイロードであり、この詳細は、ＧＵＩ１０３５を用いてユーザ１００５が選択し得るすべての可能な変数を示すわけではないことに留意するべきである。
【０２０９】
ユーザ１００５が、演算装置１０１０に表示されるＧＵＩ１０３５を介して、ユーザ１００５が利用するビークル１２１０上のペイロード１２８０の部分のための少なくとも１つの変数のそれぞれに関するオプションを選択した後、オプションは、構成アルゴリズム（ＣＡ）１０４５（例えば、ＣＡＣｏｎｆｉｇ．ｘｍｌ１０５０などのＸＭＬファイルに含まれるアルゴリズム）に送信される（１０４０）。ＣＡ１０４５は、次いで、オプションを用いることにより、ユーザ１００５が利用するビークル１２１０上のペイロード１２８０の部分のための構成を生成する。次に、ＣＡ１０４５は、構成を指令生成器（例えば、ホスト指令生成器又はホステッド指令生成器）１０６０に送信する（１０５５）。任意選択的に、ＣＡ１０４５は、さらに構成をレポートファイル１０６５内に保存する。
【０２１０】
指令生成器１０６０が構成を受信した後、指令生成器１０６０は、構成を用いることにより、ユーザ１００５が利用するビークル１２１０上のペイロード１２８０の一部を再構成する指令（例えば、ホスト指令又はホステッド指令）を生成する。次いで、指令は、暗号化モジュール１０７５に送信される（１０７０）。指令を受信した後、暗号化モジュール１０７５は、（例えば、第１のＣＯＭＳＥＣ種又は第２のＣＯＭＳＥＣ種を用いて）指令を暗号化して、暗号化指令（例えば、暗号化ホスト指令又は暗号化ホステッド指令）を生成する。
【０２１１】
次いで、暗号化指令は、ステーション（例えば、地上ステーション１０１５、陸上ビークル（例えば、軍用ジープ）１０２０、飛行ビークル（例えば、航空機）１０２５、又は海上ビークル（例えば、船舶）１０３０）からビークル１２１０に送信される（１０８０）。１つ又は複数の実施形態では、演算装置１０１０、ＣＡ１０４５、指令生成器１０６０、及び暗号化モジュール１０７５はすべて、ステーション（例えば、ホストステーション又はホステッドステーション）に配置されていることに留意するべきである。他の実施形態では、これらのアイテムのうちの幾つか又はより多くのアイテムを種々の位置に配置することができる。さらに、１つ又は複数の実施形態では、ビークル１２１０は、飛行ビークル（例えば、衛星、航空機、無人ビークル（ＵＡＶ）、又は宇宙飛行機）である。
【０２１２】
ビークル１２１０が暗号化指令を受信した後、ビークルは、指令を復号して、非暗号化指令（例えば、非暗号化ホスト指令又は非暗号化ホステッド指令）を生成する。次いで、ユーザ１００５が利用するビークル１２１０上のペイロード１２８０の部分は、非暗号化指令を用いて再構成される。１つ又は複数の実施形態では、ペイロード１２８０の再構成は、少なくとも１つのアンテナ１２１５、１２５５（図１２を参照）、少なくとも１つのアナログ‐デジタル変換器、少なくとも１つのデジタル‐アナログ変換器、少なくとも１つのビーム成形器、少なくとも１つのデジタルチャネライザ１３１０（図１３を参照）、少なくとも１つの復調器、少なくとも１つの変調器、少なくとも１つのデジタルスイッチマトリックス１３２０（図１３を参照）、及び／又は少なくとも１つのデジタルコンバイナ１３３０（図１３を参照）を再構成することを含み得る。他の実施形態では、ペイロード１２８０の再構成は、少なくとも１つのアナログスイッチマトリックスを再構成することを含み得ることに留意するべきである。
【０２１３】
図１１は、本開示の少なくとも１つの実施形態に係る、開示された仮想トランスポンダを用いるときの、複数のビーム（Ｕ１〜Ｕ４５）間における帯域幅の例示的な配分を示す図１１００である。この図では、各ビーム（Ｕ１〜Ｕ４５）の帯域幅は、バーとして例示されている。
【０２１４】
図１１００の左側１１１０では、各ビーム（Ｕ１〜Ｕ４５）の帯域幅の部分は、ホストユーザ（すなわち、ビークルの所有者）のみによって利用されているように示されている。この例では、ホストユーザは、ペイロードの部分をホステッドユーザ（すなわち、顧客）に少しもリースしていない。
【０２１５】
図１１００の左側１１２０では、各ビームの帯域幅の部分は、ホストユーザ（すなわち、ビークルの所有者）によって利用されているように示されている。さらに、ホストユーザが利用していない各ビーム（Ｕ１〜Ｕ４５）の帯域幅の部分の少なくとも一部（すべてではないにしても）は、ホステッドユーザ（すなわち、顧客）によって利用されているように示されている。この例では、ホストユーザは、ペイロードの一部分をホステッドユーザ（すなわち、顧客）にリースしている。特に、ホストユーザは、各ビーム（Ｕ１〜Ｕ４５）の帯域幅の一部分をホステッドユーザにリースしている。
【０２１６】
他の実施形態では、ホストユーザは、ビームの一部（すべてではないにしても）の帯域幅全体をホステッドユーザにリースする場合があることに留意するべきである。これらの実施形態では、ホステッドユーザは、これらのリースされたビームの帯域幅を単独で利用する。
【０２１７】
図１２は、本開示の少なくとも１つの実施形態に係る、開示された仮想トランスポンダを用いるときの、複数のビーム（Ｕ１〜ＵＮ）（すなわち、アップリンク及びダウンリンクビームを含む）間における帯域幅の柔軟な配分のためのスイッチ構造を示す図１２００である。この図では、ビークル１２１０上のペイロード１２８０の詳細が示される。具体的には、ビークル１２１０上の複数（すなわち、Ｎ個）の受信アンテナ１２１５のそれぞれが、アップリンクビーム（Ｕ１〜ＵＮ）のうちの１つを受信するように示されている。このようにして、例えば、入力ポート１に接続された受信アンテナ１２１５は、アップリンクビームＵ６を受信し、入力ポート２に接続された受信アンテナ１２１５は、アップリンクビームＵ１４を受信し、入力ポートＮに接続された受信アンテナ１２１５は、アップリンクビームＵ３４を受信する。各受信アンテナ１２１５には、偏光子（すなわち、ｐｏｌ）１２２０及び導波路フィルタ（すなわち、ＷＧフィルタ）１２２５が続いているように示されている。
【０２１８】
さらに、この図では、ビークル１２１０上の複数（すなわち、Ｎ個）の送信アンテナ１２５５のそれぞれが、ダウンリンクビーム（Ｕ１〜ＵＮ）のうちの１つを受信するように示されている。このようにして、例えば、出力ポート１に接続された送信アンテナ１２５５は、ダウンリンクビームＵ１９を受信し、出力ポート２に接続された送信アンテナ１２５５は、ダウンリンクビームＵ６を受信し、出力ポートＮに接続された送信アンテナ１２５５は、ダウンリンクビームＵ１を受信する。各送信アンテナ１２５５には、偏光子（すなわち、ｐｏｌ）１２４５及び導波路フィルタ（すなわち、ＷＧフィルタ）１２５０が先行しているように示されている。
【０２１９】
１つ又は複数の実施形態では、様々な種類のアンテナが受信アンテナ１２１５及び送信アンテナ１２５５のために利用され得ることに留意するべきである。様々な種類のアンテナには、パラボラリフレクタアンテナ、成形リフレクタアンテナ、マルチフィードアレイアンテナ（ｍｕｌｔｉｆｅｅｄ  ａｒｒａｙ  ａｎｔｅｎｎａ）、フェーズアレイアンテナ、及び／又はこれらの任意の組み合わせが含まれるが、これらに限定されない。
【０２２０】
操作中、ホストユーザ１２０５は、非暗号化ホスト指令を暗号化して、暗号化ホスト指令を生成する。また、ホステッドユーザ１２３０は、非暗号化ホステッド指令を暗号化して、暗号化ホステッド指令を生成する。ホステッドユーザ１２３０は、暗号化ホステッド指令をホストユーザ１２０５に送信する（１２３５）。ホストユーザ１２０５は、暗号化ホスト指令及び暗号化ホステッド指令をビークル１２１０に送信する（１２４０）。暗号化ホスト指令及び暗号化ホステッド指令は、ビークル１２１０上で復号され、非暗号化ホスト指令及び非暗号化ホステッド指令が生成される。
【０２２１】
次いで、ビークル１２１０上のペイロードは、非暗号化ホスト指令及び非暗号化ホステッド指令を受信する。デジタルチャネライザ１２７０は、次いで、非暗号化ホスト指令及び非暗号化ホステッド指令に従って、アップリンクビーム（Ｕ１〜ＵＮ）及びダウンリンクビーム（Ｕ１〜ＵＮ）のチャネルを再構成する。チャネルを設定することにより、ホストユーザ１２０５及びホステッドユーザ１２３０間にアップリンクビーム（Ｕ１〜ＵＮ）及びダウンリンクビーム（Ｕ１〜ＵＮ）の帯域幅が配分される。
【０２２２】
また、送信アンテナ１２５５及び受信アンテナ１２１５は、非暗号化ホスト指令及び／又は非暗号化ホステッド指令に従って構成される。例えば、送信アンテナ１２５５及び／又は受信アンテナ１２１５のうちのすべてではないにしても、その幾つかは、地上の種々の位置にビームを投射するためにジンバルされてもよい。また、例えば、送信アンテナ１２５５及び／又は受信アンテナ１２１５のうちのすべてではないにしても、その幾つかは、フェーズが変わり、それにより、（１）ビームの形状が変わり（例えば、ビームのカバレージエリアを変える効果があり、ビームのピーク振幅が変わり、且つ／又は地上のピーク振幅位置が変わる）、且つ／又は（２）ビームが地上の種々の位置に投射される（すなわち、アンテナ１２１５、１２５５のジンバルと同じ効果を有する）。
【０２２３】
さらに、入力ポートのミキサー１２６０及び／又は出力ポートのミキサー１２６５は、非暗号化ホスト指令及び／又は非暗号化ホステッド指令に従って構成される。例えば、入力ポートのミキサー１２６０及び／又は出力ポートのミキサー１２６５のうちのすべてではないにしても、その幾つかは、ビーム（Ｕ１〜ＵＮ）の周波数帯域を変えるために種々の周波数帯域内でミックスする場合がある。
【０２２４】
図１３は、本開示の少なくとも１つの実施形態に係る、図１２のデジタルチャネライザ１２７０の詳細を示す図１３００である。この図では、デジタルチャネライザ１２７０は、３つの主要部分を含むように示されている。それらは、チャネライザ１３１０、スイッチマトリックス１３２０、及びコンバイナ１３３０である。デジタルチャネライザ１３１０は、各入力ポートからの入力ビームスペクトル（すなわち、周波数帯域）を複数の入力サブチャネル（すなわち、周波数スライス）に分割する。この図では、各ビームスペクトル（すなわち、周波数帯域）は、１２の入力サブチャネル（すなわち、周波数スライス）に分割されているように示されている。他の実施形態では、各ビームスペクトルは、図１３で示す１２より多い又は少ない入力サブチャネルに分割され得ることに留意するべきである。
【０２２５】
スイッチマトリックス１３２０は、入力ポートからの入力サブチャネルをそれぞれに割り当てられる出力ポートにルーティングする。そこでは、入力サブチャネルは出力サブチャネルと呼ばれる。この図では、スイッチマトリックス１３２０によって用いられるルーティングの５つの例示的な種類が示される。それには、直接マッピング１３４０、ビーム間マルチキャスト（ｉｎ−ｂｅａｍ  ｍｕｌｔｉｃａｓｔ）１３５０、クロスビームマルチキャスト（（ｃｒｏｓｓ−ｂｅａｍ  ｍｕｌｔｉｃａｓｔ）１３６０、クロスビームマッピング（ｃｒｏｓｓ−ｂｅａｍ  ｍａｐｐｉｎｇ）１３７０、及びクロスビームポイントツーポイントルーティング（ｃｒｏｓｓ−ｂｅａｍ  ｐｏｉｎｔ−ｔｏ−ｐｏｉｎｔ  ｒｏｕｔｉｎｇ）１３８０が含まれる。コンバイナ１３３０は、複数の出力サブチャネルを組み合わせて、各出力ポート用の出力ビームスペクトルを生成する。上述のように、ペイロード１２８０の再構成の間、デジタルチャネライザ１２７０のチャネライザ１３１０、スイッチマトリックス１３２０、及び／又はコンバイナ１３３０は、様々な異なる方法で再構成され得る（例えば、入力ビームスペクトルの入力サブチャンネルへの分割を変えるか、入力サブチャンネルのルーティングを変えるか、且つ／又は出力ビームスペクトルを生成するための出力サブチャネルの組み合わせを変える等）。
【０２２６】
図１４は、本開示の少なくとも１つの実施形態に係る、開示された仮想トランスポンダによって利用され得る、ビークル（例えば、衛星）１４１０上の例示的な構成要素を示す図１４００である。この図では、非暗号化ホスト指令（例えば、ホストチャネル１４３０）及び／又は非暗号化ホステッド指令（例えば、ホステッドチャネル１４２０）に従って再構成され得るビークル１４１０上の様々な構成要素が示されている。
【０２２７】
この図では、非暗号化ホスト指令（例えば、ホストチャネル１４３０）及び／又は非暗号化ホステッド指令（例えば、ホステッドチャネル１４２０）に従って再構成され得る、アップリンクアンテナ１４４０、ダウンリンクアンテナ１４５０、及び全デジタルペイロード１４６０の様々な構成要素（アナログ‐デジタル（Ａ／Ｄ）変換器１４６５、デジタルチャネライザ１４７５、デジタルスイッチマトリックス１４９５、デジタルコンバイナ１４１５、及びデジタル‐アナログ（Ｄ／Ａ）変換器１４３５を含む）が示されている。さらに、非暗号化ホスト指令（例えば、ホストチャネル１４３０）及び／又は非暗号化ホステッド指令（例えば、ホステッドチャネル１４２０）に従って、全デジタルペイロード１４６０の他の幾つかの構成要素（アップリンクビーム形成器１４７０、復調器１４８０、変調器１４９０、及びダウンリンクビーム形成器１４２５を含む）が、任意選択的に構成され得る。
【０２２８】
図１５Ａ及び１５Ｂは、本開示の少なくとも１つの実施形態に係る、ビークル上の仮想トランスポンダのための開示された方法のフロー図を共に示す。当該方法の開始１５００において、ホストユーザは、ホスト演算装置上のホストグラフィカルユーザインターフェース（ＧＵＩ）を用いて、ホストユーザが利用するビークル上のペイロードの部分のための少なくとも１つの変数のそれぞれに関するオプションを選択する（１５０５）。また、ホステッドユーザは、ホステッド演算装置上のホステッドＧＵＩを用いて、ホステッドユーザが利用するビークル上のペイロードの部分のための少なくとも１つの変数のそれぞれに関するオプションを選択する（１５１０）。次いで、構成アルゴリズム（ＣＡ）は、ホストユーザが利用するビークル上のペイロードの部分のための少なくとも１つの変数のそれぞれに関するオプションを用いて、ホストユーザが利用するビークル上のペイロードの部分についての構成をつくる（１５１５）。また、ＣＡは、ホステッドユーザが利用するビークル上のペイロードの部分のための少なくとも１つの変数のそれぞれに関するオプションを用いて、ホステッドユーザが利用するビークル上のペイロードの部分についての構成をつくる（１５２０）。
【０２２９】
ホスト指令生成器は、次いで、ホストユーザが利用するビークル上のペイロードの部分についての構成を用いて、ホストユーザが利用するビークル上のペイロードの部分を再構成するためのホスト指令を生成する（１５２５）。また、ホステッド指令生成器は、ホステッドユーザが利用するビークル上のペイロードの部分についての構成を用いて、ホステッドユーザが利用するビークル上のペイロードの部分を再構成するためのホステッド指令を生成する（１５３０）。次いで、ホスト指令及びホステッド指令は、ビークルに送信される（１５３５）。ホストユーザが利用するビークル上のペイロードの部分は、次いで、ホスト指令を用いて再構成される（１５４０）。また、ホステッドユーザが利用するビークル上のペイロードの部分は、ホステッド指令を用いて再構成される（１５４５）。次いで、方法は終了する（１５５０）。
【０２３０】
図１６は、本開示の少なくとも１つの実施形態に係る、ホストユーザのための、バンド内テレメトリの例示的なスクリプト１６００を示す図である。具体的には、この例示的なスクリプト１６００は、図２のシステム及び図３Ａ〜図３Ｄの方法に示したように、ホステッドユーザのためのバンド内テレメトリに対して使用されうる（例えば、バンド内テレメトリは、バンド内周波数帯域を用いて、ペイロードアンテナ２８０によって、ホステッドテレメトリ信号内でホステッド受信アンテナ２９０に送信（２９７）される暗号化ホステッドテレメトリである）。
【０２３１】
この図では、スクリプト１６００は、Ｎミリ秒（ｍｓｅｃ）のマスターサイクルタイムに等しい継続時間の間だけ動作することが示されており、また、スクリプト１６００はホステッドテレメトリ信号の範囲内で繰り返される。スクリプト１６００は、スペクトル監視システム１（ＳＭＳ１）信号上で変調された１つの信号ストリーム上に送信されうる。バンド内テレメトリデータは、セキュリティのために符号化されてもよい。
【０２３２】
スクリプト１６００を参照すると、スクリプト１６００は、開始／同期信号マイナーフレーム開始１６１０から始まる。次いで、ＳＭＳ１マスタースクリプト１６２０が始まる。次いで、ホステッドユーザのために構成されるペイロードの様々な部分を監視する、ＳＭＳ１スペクトル監視構成スクリプト１６３０が動作する。次いで、固定された時間だけホステッドユーザのために構成されるペイロードの様々な部分からテレメトリを集める、ホステッド固定時間収集スクリプト１６４０が動作する。
【０２３３】
次いで、ホステッドストリームスイッチ、サブチャネル出力（ＳＣＰ）、リミッタ、サブチャネル自動レベル制御（ＳＡＬＣ）、サブチャネル利得（ＳＣＧ）収集スクリプト１６５０が動作する。これらのスクリプト１６５０は、スイッチ構成、ＳＣＰ、リミッタ構成、ＳＡＬＣ、及びＳＣＧに関するテレメトリデータを収集する。これらのスクリプト１６５０はＹ回繰り返される。
【０２３４】
次いで、アナログスペクトル監視構成（ＡＳＭＳ）／ランダムアクセスメモリ（ＡＮＡＲＡＭ）収集スクリプト１６６０が動作する。これらのスクリプト１６６０は、ＡＳＭＳ及びＡＮＡＲＡＭに関するテレメトリデータを収集する。
【０２３５】
次いで、ＳＭＳ１収集スクリプト開始／同期信号マイナーフレーム１６７０が終了する。テレメトリデータの異なるタイプ（例えば、スイッチ構成、ＳＣＰ、リミッタ構成、ＳＡＬＣ、ＳＣＧ、ＡＳＭＳ及びＡＮＡＲＡＭ）をそれぞれ監視することは、関連するリフレッシュレートを有してもよく、また、関連する反復回数（Ｎミリ秒のスクリプトマスターサイクルタイム中にテレメトリデータが繰り返される回数）を有してもよいことに留意すべきである。
【０２３６】
図１７は、本開示の少なくとも１つの実施形態に係る、ホストユーザのための、バンド内テレメトリのための例示的なスクリプト１７００を示す図である。具体的には、この例示的なスクリプト１７００は、図４のシステム及び図５Ａ〜図５Ｄの方法に示したように、ホストユーザのためのバンド内テレメトリに対して使用されうる（例えば、バンド内テレメトリは、バンド内周波数帯域を用いて、ペイロードアンテナ４８０によって、ホストテレメトリ信号内でホステッド受信アンテナ４８５に送信（４９７）される暗号化ホステッドテレメトリである）。
【０２３７】
この図では、スクリプト１７００は、Ｍミリ秒（ｍｓｅｃ）のマスターサイクルタイムに等しい継続時間の間だけ動作することが示されており、また、スクリプト１７００はホストテレメトリ信号の範囲内で繰り返される。スクリプト１７００は、スペクトル監視システム１（ＳＭＳ１）信号上で変調された１つの信号ストリーム上に送信されうる。バンド内テレメトリデータは、セキュリティのために符号化されてもよい。
【０２３８】
スクリプト１７００を参照すると、スクリプト１７００は、開始／同期信号マイナーフレーム開始１７１０から始まる。次いで、ＳＭＳ１マスタースクリプト１７２０が始まる。次いで、ホストユーザのために構成されるペイロードの様々な部分を監視する、ＳＭＳ１スペクトル監視構成スクリプト１７３０が動作する。次いで、固定された時間だけホストユーザのために構成されるペイロードの様々な部分からテレメトリを集める、ホスト固定時間収集スクリプト１７４０が動作する。
【０２３９】
次いで、ホストストリームスイッチ、ＳＣＰ、リミッタ、ＳＡＬＣ、ＳＣＧ収集スクリプト１７５０が動作する。これらのスクリプト１７５０は、スイッチ構成、ＳＣＰ、リミッタ構成、ＳＡＬＣ、及びＳＣＧに関するテレメトリデータを収集する。これらのスクリプト１７５０はＸ回繰り返される。
【０２４０】
次いで、ＡＳＭＳ／ＡＮＡＲＡＭ収集スクリプト１７６０が動作する。これらのスクリプト１７６０は、ＡＳＭＳ及びＡＮＡＲＡＭに関するテレメトリデータを収集する。
【０２４１】
次いで、ＳＭＳ１収集スクリプト開始／同期信号マイナーフレーム１７７０が終了する。テレメトリデータの異なるタイプ（例えば、スイッチ構成、ＳＣＰ、リミッタ構成、ＳＡＬＣ、ＳＣＧ、ＡＳＭＳ及びＡＮＡＲＡＭ）をそれぞれ監視することは、関連するリフレッシュレートを有してもよく、また、関連する反復回数（Ｍミリ秒のスクリプトマスターサイクルタイム中にテレメトリデータが繰り返される回数）を有してもよいことに留意すべきである。
【０２４２】
図１８は、本開示の少なくとも１つの実施形態に係る、ホストユーザ及びホステッドユーザのための、バンド内テレメトリの例示的なスクリプト１８００を示す図である。具体的には、この例示的なスクリプト１８００は、図６のシステム及び図７Ａ〜図７Ｄの方法に示したように、ホストユーザ及びホステッドユーザのためのバンド内テレメトリに対して使用されうる（例えば、バンド内テレメトリは、（１）バンド内周波数帯域を用いて、ペイロードアンテナ６８０によって、ホスト／ホステッドテレメトリ信号内でホスト受信アンテナ６８５に送信（６９７）される暗号化ホストテレメトリ、並びに、（２）バンド内周波数帯域を用いて、ペイロードアンテナ６８０によって、ホステッド受信アンテナ６９０に送信（６９６）される暗号化ホステッドテレメトリである）。
【０２４３】
この図では、スクリプト１８００は、Ｚミリ秒（ｍｓｅｃ）のマスターサイクルタイムに等しい継続時間の間だけ動作することが示されており、また、スクリプト１８００はホスト／ホステッドテレメトリ信号の範囲内で繰り返される。スクリプト１８００は、スペクトル監視システム１（ＳＭＳ１）信号上で変調された１つの信号ストリーム上に送信されうる。バンド内テレメトリデータは、セキュリティのために符号化されてもよい。スクリプト１８００を参照すると、スクリプト１８００は、開始／同期信号マイナーフレーム開始１８１０から始まる。次いで、ＳＭＳ１マスタースクリプト１８２０が始まる。次いで、ホストユーザ及びホステッドユーザのために構成されるペイロードの様々な部分を監視する、ＳＭＳ１スペクトル監視構成スクリプト１８３０が動作する。次いで、固定された時間だけホストユーザのために構成されるペイロードの様々な部分からテレメトリを集める、ホスト固定時間収集スクリプト１８４０が動作する。
【０２４４】
次いで、ホストストリームスイッチ、ＳＣＰ、リミッタ、ＳＡＬＣ、ＳＣＧ収集スクリプト１８５０が動作する。これらのスクリプト１８５０は、スイッチ構成、ＳＣＰ、リミッタ構成、ＳＡＬＣ、及びＳＣＧに関するテレメトリデータを収集する。これらのスクリプト１８５０はＸ回繰り返される。
【０２４５】
次いで、固定された時間だけホステッドユーザのために構成されるペイロードの様々な部分からテレメトリを集める、ホステッド固定時間収集スクリプト１８６０が動作する。
【０２４６】
次いで、ホステッドストリームスイッチ、ＳＣＰ、リミッタ、ＳＡＬＣ、ＳＣＧ収集スクリプト１８７０が動作する。これらのスクリプト１８７０は、スイッチ構成、ＳＣＰ、リミッタ構成、ＳＡＬＣ、及びＳＣＧに関するテレメトリデータを収集する。これらのスクリプト１８７０はＹ回繰り返される。
【０２４７】
次いで、アナログスペクトル監視構成（ＡＳＭＳ）／ランダムアクセスメモリ（ＡＮＡＲＡＭ）収集スクリプト１８８０が動作する。これらのスクリプト１８８０は、ＡＳＭＳ及びＡＮＡＲＡＭに関するテレメトリデータを収集する。
【０２４８】
次いで、ＳＭＳ１収集スクリプト開始／同期信号マイナーフレーム１８９０が終了する。テレメトリデータの異なるタイプ（例えば、スイッチ構成、ＳＣＰ、リミッタ構成、ＳＡＬＣ、ＳＣＧ、ＡＳＭＳ及びＡＮＡＲＡＭ）をそれぞれ監視することは、関連するリフレッシュレートを有してもよく、また、関連する反復回数（Ｚミリ秒のスクリプトマスターサイクルタイム中にテレメトリデータが繰り返される回数）を有しうることに留意すべきである。
【０２４９】
図１９は、本開示の少なくとも１つの実施形態に係る、ホストユーザ及びホステッドユーザのための、バンド内テレメトリの２つの例示的なスクリプト（スクリプト１及びスクリプト２）を示す図１９００である。具体的には、例示的なスクリプト１は、図６のシステム及び図７Ａ〜図７Ｄの方法に示したように、ホストユーザのためのバンド内テレメトリに対して使用されうる（例えば、バンド内テレメトリは、バンド内周波数帯域（すなわち、ホスト周波数帯域）を用いて、ペイロードアンテナ６８０によって、ホストテレメトリ信号内でホスト受信アンテナ６８５に送信（６９７）される暗号化ホステッドテレメトリである）。また、例示的なスクリプト２は、図６のシステム及び図７Ａ〜図７Ｄの方法に示したように、ホステッドユーザのためのバンド内テレメトリに対して使用されうる（例えば、バンド内テレメトリは、バンド内周波数帯域（すなわち、ホステッド周波数帯域）を用いて、ペイロードアンテナ６８０によって、ホステッドテレメトリ信号内でホステッド受信アンテナ６９０に送信（６９６）される暗号化ホステッドテレメトリである）。
【０２５０】
この図では、スクリプト１は、Ｎミリ秒（ｍｓｅｃ）のマスターサイクルタイムに等しい継続時間の間だけ動作することが示されており、また、スクリプト１はホストテレメトリ信号の範囲内で繰り返される。スクリプト１は、スペクトル監視システム１（ＳＭＳ１）信号上で変調された１つの信号ストリーム上に送信されうる。バンド内テレメトリデータは、セキュリティのために符号化されてもよい。
【０２５１】
また、この図では、スクリプト２は、Ｍミリ秒（ｍｓｅｃ）のマスターサイクルタイムに等しい継続時間の間だけ動作することが示されており、また、スクリプト２はホステッドテレメトリ信号の範囲内で繰り返される。スクリプト２は、スペクトル監視システム２（ＳＭＳ２）信号上で変調された１つの信号ストリーム上に送信されうる。バンド内テレメトリデータは、セキュリティのために符号化されてもよい。
【０２５２】
スクリプト１を参照すると、スクリプト１は１９１０から始まる。次いで、ホストユーザのために構成されるペイロードの様々な部分を監視する、スペクトル監視構成スクリプト１９２０が動作する。次いで、ホストユーザのために構成されるペイロードの様々な部分からテレメトリを集める、ホストテレメトリ収集スクリプト１９３０が動作する。これらのスクリプト１９３０は、スイッチ構成、ＳＣＰ、リミッタ構成、ＳＡＬＣ、ＳＣＧ、ＡＳＭＳ、及びＡＮＡＲＡＭに関するテレメトリを収集しうる。これらのスクリプト１９３０はＸ回繰り返されうる。次いで、スクリプト１は１９４０で終わる。テレメトリデータの異なるタイプ（例えば、スイッチ構成、ＳＣＰ、リミッタ構成、ＳＡＬＣ、ＳＣＧ、ＡＳＭＳ及びＡＮＡＲＡＭ）をそれぞれ監視することは、関連するリフレッシュレートを有してもよく、また、関連する反復回数（Ｎミリ秒のスクリプトマスターサイクルタイム中にテレメトリデータが繰り返される）回数を有しうることに留意すべきである。
【０２５３】
スクリプト２を参照すると、スクリプト２は１９５０から始まる。次いで、ホステッドユーザのために構成されるペイロードの様々な部分を監視する、スペクトル監視構成スクリプト１９６０が動作する。次いで、ホステッドユーザのために構成されるペイロードの様々な部分からテレメトリを集める、ホステッドテレメトリ収集スクリプト１９７０が動作する。これらのスクリプト１９７０は、スイッチ構成、ＳＣＰ、リミッタ構成、ＳＡＬＣ、ＳＣＧ、ＡＳＭＳ、及びＡＮＡＲＡＭに関するテレメトリを収集しうる。これらのスクリプト１９７０はＹ回繰り返されうる。次いで、スクリプト２は１９８０で終わる。テレメトリデータの異なるタイプ（例えば、スイッチ構成、ＳＣＰ、リミッタ構成、ＳＡＬＣ、ＳＣＧ、ＡＳＭＳ及びＡＮＡＲＡＭ）をそれぞれ監視することは、関連するリフレッシュレートを有してもよく、また、関連する反復回数（Ｍミリ秒のスクリプトマスターサイクルタイム中にテレメトリデータが繰り返される回数）を有してもよいことに留意すべきである。
【０２５４】
さらに、本開示は、以下の条項に係る実施形態を含む。
【０２５５】
条項１．  仮想トランスポンダのためのバンド内テレメトリの方法であって、
ビークル上のペイロードアンテナによって、ペイロード信号をホステッド受信アンテナに送信すること、及び、
前記ペイロードアンテナによって、ホステッドテレメトリ信号を前記ホステッド受信アンテナに送信すること
を含み、前記ホステッドテレメトリ信号と前記ペイロード信号は同じ周波数帯域で送信される、方法。
【０２５６】
条項２．  前記ホステッドテレメトリ信号はホステッドペイロード構成に関連するテレメトリデータを含むスクリプトを含み、前記スクリプトはマスターサイクルタイムに等しい継続時間を有し、また、前記スクリプトは前記ホステッドテレメトリ信号内で繰り返される、条項１に記載の方法。
【０２５７】
条項３．  前記ホステッドテレメトリ信号は、サブチャネル出力（ＳＣＰ）、アナログスペクトル監視構成（ＡＳＭＳ）、アナログランダムアクセスメモリ（ＡＮＡＲＡＭ）、スイッチ構成、リミッタ構成、サブチャネル自動レベル制御（ＳＡＬＣ）、又はサブチャネル利得（ＳＣＧ）のうちの少なくとも１つを含む、ホステッドペイロード構成に関連するホステッドテレメトリデータを含む、条項１又は２に記載の方法。
【０２５８】
条項４．  前記ホステッドペイロード構成に関連する前記ホステッドテレメトリデータは異なるタイプごとに、関連するリフレッシュレートを有する、条項３に記載の方法。
【０２５９】
条項５．  前記ホステッドペイロード構成に関連する前記ホステッドテレメトリデータは異なるタイプごとに、関連する反復回数（スクリプトサイクルタイム中にテレメトリデータが繰り返される回数）を有する、条項３に記載の方法。
【０２６０】
条項６．  前記ホステッドテレメトリ信号は暗号化ホステッドテレメトリを含む、条項１から５のいずれか一項に記載の方法。
【０２６１】
条項７．  仮想トランスポンダのためのバンド内テレメトリの方法であって、
ビークル上のペイロードアンテナによって、ペイロード信号をホスト受信アンテナに送信すること、及び、
前記ペイロードアンテナによって、ホストテレメトリ信号をホスト受信アンテナに送信すること
を含み、前記ホストテレメトリ信号と前記ペイロード信号は同じ周波数帯域で送信される、方法。
【０２６２】
条項８．  前記ホステッドテレメトリ信号はホストペイロード構成に関連するテレメトリデータを含むスクリプトを含み、前記スクリプトはマスターサイクルタイムに等しい継続時間を有し、また、前記スクリプトは前記ホステッドテレメトリ信号内で繰り返される、条項７に記載の方法。
【０２６３】
条項９．  前記ホストテレメトリ信号は、サブチャネル出力（ＳＣＰ）、アナログスペクトル監視構成（ＡＳＭＳ）、アナログランダムアクセスメモリ（ＡＮＡＲＡＭ）、スイッチ構成、リミッタ構成、サブチャネル自動レベル制御（ＳＡＬＣ）、又はサブチャネル利得（ＳＣＧ）のうちの少なくとも１つを含む、ホストペイロード構成に関連するホストテレメトリデータを含む、条項７又は８に記載の方法。
【０２６４】
条項１０．  前記ホストペイロード構成に関連する前記ホストテレメトリデータは異なるタイプごとに、関連するリフレッシュレートを有する、条項９に記載の方法。
【０２６５】
条項１１．  前記ホストペイロード構成に関連する前記ホストテレメトリデータは異なるタイプごとに、関連する反復回数（スクリプトサイクルタイム中にホストテレメトリデータが繰り返される回数）を有する、条項９に記載の方法。
【０２６６】
条項１２．  前記ホストテレメトリ信号は暗号化ホストテレメトリを含む、条項７から１１のいずれか一項に記載の方法。
【０２６７】
条項１３．  仮想トランスポンダのためのバンド内テレメトリの方法であって、
ビークル上のペイロードアンテナによって、ホストペイロード信号をホスト受信アンテナに送信すること、
前記ペイロードアンテナによって、ホステッドペイロード信号をホステッド受信アンテナに送信すること、
前記ペイロードアンテナによって、ホストテレメトリ信号を前記ホスト受信アンテナに送信すること、及び
前記ペイロードアンテナによって、ホステッドテレメトリ信号を前記ホステッド受信アンテナに送信することを含み、
前記ホストテレメトリ信号と前記ホステッドテレメトリ信号は同じ周波数帯域で送信される方法。
【０２６８】
条項１４．  前記ホストテレメトリ信号はホストペイロード構成に関連するホストテレメトリデータを含むホストスクリプトを含み、前記ホストスクリプトはホストマスターサイクルタイムに等しい継続時間を有し、また、前記ホストスクリプトは前記ホストテレメトリ信号内で繰り返され、前記ホステッドテレメトリ信号は前記ホステッドペイロード構成に関連するホステッドテレメトリデータを含むスクリプトを含み、前記スクリプトはホステッドマスターサイクルタイムに等しい継続時間を有し、また、前記スクリプトは前記ホステッドテレメトリ信号内で繰り返される、条項１３に記載の方法。
【０２６９】
条項１５．  前記ホストテレメトリ信号は、サブチャネル出力（ＳＣＰ）、アナログスペクトル監視構成（ＡＳＭＳ）、アナログランダムアクセスメモリ（ＡＮＡＲＡＭ）、スイッチ構成、リミッタ構成、サブチャネル自動レベル制御（ＳＡＬＣ）、又はサブチャネル利得（ＳＣＧ）のうちの少なくとも１つを含むホストペイロード構成に関連するホストテレメトリデータを含み、また、前記ホステッドテレメトリ信号は、サブチャネル出力（ＳＣＰ）、アナログスペクトル監視構成（ＡＳＭＳ）、アナログランダムアクセスメモリ（ＡＮＡＲＡＭ）、スイッチ構成、リミッタ構成、サブチャネル自動レベル制御（ＳＡＬＣ）、又はサブチャネル利得（ＳＣＧ）のうちの少なくとも１つを含む、前記ホステッドペイロード構成に関連するホステッドテレメトリデータを含む、条項１３又は１４に記載の方法。
【０２７０】
条項１６．  前記ホストペイロード構成に関連する前記ホストテレメトリデータは異なるタイプごとに、関連するホストリフレッシュレートを有し、前記ホステッドペイロード構成に関連する前記ホステッドテレメトリデータは異なるタイプごとに、関連するホステッドリフレッシュ送信レートを有する、条項１５に記載の方法。
【０２７１】
条項１７．  前記ホストペイロード構成に関連する前記ホストテレメトリデータは異なるタイプごとに、関連する反復回数（ホストスクリプトサイクルタイム中にホストテレメトリデータが繰り返される回数）を有し、また、前記ホステッドペイロード構成に関連する前記ホステッドテレメトリデータは異なるタイプごとに、関連する反復回数（ホステッドスクリプトサイクルタイム中にホステッドテレメトリデータが繰り返される回数）を有する、条項１５に記載の方法。
【０２７２】
条項１８．  前記ホストテレメトリ信号は暗号化ホストテレメトリを含み、前記ホステッドテレメトリ信号は暗号化ホステッドテレメトリを含み、また、前記暗号化ホストテレメトリは第１の暗号化キーを用いて暗号化され、前記暗号化ホステッドテレメトリは第２の暗号化キーを用いて暗号化される、条項１３から１７のいずれか一項に記載の方法。
【０２７３】
条項１９．  前記ホストテレメトリ信号と前記ホステッドテレメトリ信号は、時分割多重アクセス（ＴＤＭＡ）を利用して同じ周波数帯域で送信される、条項１３から１８のいずれか一項に記載の方法。
【０２７４】
条項２０．  仮想トランスポンダのためのバンド内テレメトリの方法であって、
ビークル上のペイロードアンテナによって、ホストペイロード信号をホスト受信アンテナに送信すること、
前記ペイロードアンテナによって、ホステッドペイロード信号をホステッド受信アンテナに送信すること、
前記ペイロードアンテナによって、ホストテレメトリ信号を前記ホスト受信アンテナに送信することであって、前記ホストテレメトリ信号と前記ホストペイロード信号は同じ周波数帯域で送信される、送信すること、及び
前記ペイロードアンテナによって、ホステッドテレメトリ信号を前記ホステッド受信アンテナに送信することであって、前記ホステッドテレメトリ信号と前記ホステッドペイロード信号は同じ周波数帯域で送信される、送信すること
を含む方法。
【０２７５】
条項２１．  仮想トランスポンダのためのバンド内テレメトリのシステムであって、前記システムはビークル、並びに、ペイロード信号をホステッド受信アンテナに送信し、ホステッドテレメトリ信号を前記ホステッド受信アンテナに送信する前記ビークル上のペイロードアンテナを含み、前記ホステッドテレメトリ信号と前記ペイロード信号は同じ周波数帯域で送信される、システム。
【０２７６】
条項２２．  前記ホステッドテレメトリ信号はホストペイロード構成に関連するテレメトリデータを含むスクリプトを含み、前記スクリプトはマスターサイクルタイムに等しい継続時間を有し、また、前記スクリプトは前記ホステッドテレメトリ信号内で繰り返される、条項２１に記載のシステム。
【０２７７】
条項２３．  前記ホステッドテレメトリ信号は、サブチャネル出力（ＳＣＰ）、アナログスペクトル監視構成（ＡＳＭＳ）、アナログランダムアクセスメモリ（ＡＮＡＲＡＭ）、スイッチ構成、リミッタ構成、サブチャネル自動レベル制御（ＳＡＬＣ）、又はサブチャネル利得（ＳＣＧ）のうちの少なくとも１つを含む、ホステッドペイロード構成に関連するホステッドテレメトリデータを含む、条項２１又は２２に記載のシステム。
【０２７８】
条項２４．  前記ホステッドペイロード構成に関連する前記ホステッドテレメトリデータは異なるタイプごとに、関連するリフレッシュレートを有する、条項２３に記載のシステム。
【０２７９】
条項２５．  前記ホステッドペイロード構成に関連する前記ホステッドテレメトリデータは異なるタイプごとに、関連する反復回数（スクリプトサイクルタイム中にホステッドテレメトリデータが繰り返される回数）を有する、条項２３に記載のシステム。
【０２８０】
条項２６．  前記ホステッドテレメトリ信号は暗号化ホステッドテレメトリを含む、条項２１から２５のいずれか一項に記載のシステム。
【０２８１】
条項２７．  仮想トランスポンダのためのバンド内テレメトリのシステムであって、前記システムはビークル、並びに、ホストペイロード信号をホスト受信アンテナに送信し、ホステッドペイロード信号を前記ホステッド受信アンテナに送信し、ホストテレメトリ信号を前記ホスト受信アンテナに送信し、また、ホステッドテレメトリ信号を前記ホステッド受信アンテナに送信する前記ビークル上のペイロードアンテナを含み、前記ホストテレメトリ信号と前記ホステッドテレメトリ信号は同じ周波数帯域で送信される、システム。
【０２８２】
条項２８．  前記ホステッドテレメトリ信号はホストペイロード構成に関連するテレメトリデータを含むスクリプトを含み、前記スクリプトはマスターサイクルタイムに等しい継続時間を有し、また、前記スクリプトは前記ホステッドテレメトリ信号内で繰り返される、条項２７に記載のシステム。
【０２８３】
条項２９．  前記ホストテレメトリ信号は、サブチャネル出力（ＳＣＰ）、アナログスペクトル監視構成（ＡＳＭＳ）、アナログランダムアクセスメモリ（ＡＮＡＲＡＭ）、スイッチ構成、リミッタ構成、サブチャネル自動レベル制御（ＳＡＬＣ）、又はサブチャネル利得（ＳＣＧ）のうちの少なくとも１つを含む、ホストペイロード構成に関連するホストテレメトリデータを含む、条項２７又は２８に記載のシステム。
【０２８４】
条項３０．  前記ホストペイロード構成に関連する前記ホストテレメトリデータは異なるタイプごとに、関連するリフレッシュレートを有する、条項２９に記載のシステム。
【０２８５】
条項３１．  前記ホストペイロード構成に関連する前記ホストテレメトリデータは異なるタイプごとに、関連する反復回数（スクリプトサイクルタイム中にホストテレメトリデータが繰り返される回数）を有する、条項２９に記載のシステム。
【０２８６】
条項３２．  前記ホストテレメトリ信号は暗号化ホストテレメトリを含む、条項２７から３１のいずれか一項に記載のシステム。
【０２８７】
条項３３．  仮想トランスポンダのためのバンド内テレメトリのシステムであって、前記システムはビークル、並びに、ホストペイロード信号をホスト受信アンテナに送信し、ホステッドペイロード信号をホステッド受信アンテナに送信し、ホストテレメトリ信号を前記ホスト受信アンテナに送信し、また、ホステッドテレメトリ信号を前記ホステッド受信アンテナに送信するビークル上のペイロードアンテナを含み、前記ホストテレメトリ信号と前記ホストペイロード信号はホスト周波数帯域で送信され、前記ホステッドテレメトリ信号と前記ホステッドペイロード信号はホステッド周波数帯域で送信される、システム。
【０２８８】
条項３４．  前記ホストテレメトリ信号はホストペイロード構成に関連するテレメトリデータを含むスクリプトを含み、前記スクリプトはマスターサイクルタイムＮに等しい継続時間を有し、また、前記スクリプトは前記ホストテレメトリ信号内で繰り返される、条項３３に記載のシステム。
【０２８９】
条項３５．  前記ホステッドテレメトリ信号はホステッドペイロード構成に関連するテレメトリデータを含むスクリプトを含み、前記スクリプトはマスターサイクルタイムＭに等しい継続時間を有し、また、前記スクリプトは前記ホステッドテレメトリ信号内で繰り返される、条項３３又は３４に記載のシステム。
【０２９０】
条項３６．  前記ホストテレメトリ信号は、サブチャネル出力（ＳＣＰ）、アナログスペクトル監視構成（ＡＳＭＳ）、アナログランダムアクセスメモリ（ＡＮＡＲＡＭ）、スイッチ構成、リミッタ構成、サブチャネル自動レベル制御（ＳＡＬＣ）、又はサブチャネル利得（ＳＣＧ）のうちの少なくとも１つを含む、ホストペイロード構成に関連するホストテレメトリデータを含む、条項３３から３５のいずれか一項に記載のシステム。
【０２９１】
条項３７．  前記ホストペイロード構成に関連する前記ホストテレメトリデータは異なるタイプごとに、関連するリフレッシュレートを有する、条項３６に記載のシステム。
【０２９２】
条項３８．  前記ホストペイロード構成に関連する前記ホストテレメトリデータは異なるタイプごとに、関連する反復回数（スクリプトサイクルタイム中にホストテレメトリデータが繰り返される回数）を有する、条項３６に記載のシステム。
【０２９３】
条項３９．  前記ホステッドテレメトリ信号は、サブチャネル出力（ＳＣＰ）、アナログスペクトル監視構成（ＡＳＭＳ）、アナログランダムアクセスメモリ（ＡＮＡＲＡＭ）、スイッチ構成、リミッタ構成、サブチャネル自動レベル制御（ＳＡＬＣ）、又はサブチャネル利得（ＳＣＧ）のうちの少なくとも１つを含む、ホストペイロード構成に関連するホステッドテレメトリデータを含む、条項３３から３８のいずれか一項に記載のシステム。
【０２９４】
条項４０．  前記ホステッドペイロード構成に関連する前記ホステッドテレメトリデータは異なるタイプごとに、関連するリフレッシュレートを有する、条項３９に記載のシステム。
【０２９５】
特定の実施形態が示され説明されたが、上述の記載は、これら実施形態の範囲を限定することを意図しないことを理解するべきである。本発明の多くの態様の実施形態及び変形例が、本明細書において開示され記載されたが、これら開示は解説及び例示目的でのみ提供されるものである。したがって、特許請求の範囲を逸脱することなく、様々な変更及び修正を行うことができる。
【０２９６】
上述の方法が特定の順序で起こる特定の事象を表す場合、本開示から利益を得る当業者は、順序を修正することができること、並びにこのような修正は本開示の変形例に従うものであることを認識するであろう。さらに、方法の一部は、可能であれば並行処理により同時に実施されてもよく、連続して実施されてもよい。加えて、方法のより多くの部分又はより少ない部分が実施されてもよい。
【０２９７】
したがって、実施形態は、特許請求の範囲内に包含され得る代替例、修正例、及び均等物を例示することが意図されている。
【０２９８】
特定の例示的実施形態及び方法を本明細書の中に開示したが、前述の開示内容から、当業者には、本開示の精神及び範囲から逸脱することなくこのような実施形態及び方法に変更及び修正を加えることが可能であることは明らかであろう。その他多数の本開示の実施例があり、各実施例はその詳細事項においてのみ他と異なる。したがって本開示は、特許請求の範囲及び適用法の規則及び原理によって必要とされる範囲にのみ制限されるものとする。
【図１】
2018186490.tif 000003
【図２Ａ】
2018186490.tif 000004
【図２Ｂ】
2018186490.tif 000005
【図３Ａ】
2018186490.tif 000006
【図３Ｂ】
2018186490.tif 000007
【図３Ｃ】
2018186490.tif 000008
【図３Ｄ】
2018186490.tif 000009
【図３Ｅ】
2018186490.tif 000010
【図３Ｆ】
2018186490.tif 000011
【図３Ｇ】
2018186490.tif 000012
【図３Ｈ】
2018186490.tif 000013
【図４】
2018186490.tif 000014
【図５Ａ】
2018186490.tif 000015
【図５Ｂ】
2018186490.tif 000016
【図５Ｃ】
2018186490.tif 000017
【図５Ｄ】
2018186490.tif 000018
【図６Ａ】
2018186490.tif 000019
【図６Ｂ】
2018186490.tif 000020
【図７Ａ】
2018186490.tif 000021
【図７Ｂ】
2018186490.tif 000022
【図７Ｃ】
2018186490.tif 000023
【図７Ｄ】
2018186490.tif 000024
【図７Ｅ】
2018186490.tif 000025
【図７Ｆ】
2018186490.tif 000026
【図７Ｇ】
2018186490.tif 000027
【図７Ｈ】
2018186490.tif 000028
【図８Ａ】
2018186490.tif 000029
【図８Ｂ】
2018186490.tif 000030
【図９Ａ】
2018186490.tif 000031
【図９Ｂ】
2018186490.tif 000032
【図９Ｃ】
2018186490.tif 000033
【図９Ｄ】
2018186490.tif 000034
【図９Ｅ】
2018186490.tif 000035
【図９Ｆ】
2018186490.tif 000036
【図９Ｇ】
2018186490.tif 000037
【図９Ｈ】
2018186490.tif 000038
【図１０】
2018186490.tif 000039
【図１１】
2018186490.tif 000040
【図１２】
2018186490.tif 000041
【図１３】
2018186490.tif 000042
【図１４】
2018186490.tif 000043
【図１５Ａ】
2018186490.tif 000044
【図１５Ｂ】
2018186490.tif 000045
【図１６】
2018186490.tif 000046
【図１７】
2018186490.tif 000047
【図１８】
2018186490.tif 000048
【図１９】
2018186490.tif 000049
【外国語明細書】
2018186490000001.pdf
2018186490000002.pdf
2018186490000003.pdf
2018186490000004.pdf